【事件の表示】
　特許第２９５０２１９号「面光源装置、当該面光源装置を用いた画像表示装置及び当該面光源装置に用いるプリズムアレイ」の請求項１、２、４ないし８、１０ないし１４、１９ないし２９に係る特許に対する特許異議の申立てについて、次のとおり決定する。
【結　論】
　訂正を認める。
　特許第２９５０２１９号の請求項２ないし６、８ないし１２、１７ないし２７に係る特許を維持する。
【理　由】
１．手続きの経緯
  本件特許第２９５０２１９号に係る出願は、平成７年１０月１３日に出願され、平成１１年７月９日にその設定登録がなされ、その後、長谷川孝子、太田恵三及び坂本陽より特許異議の申立てがなされ、取消理由通知がなされ、その指定期間内である平成１２年８月１日に訂正請求がなされ、訂正拒絶理由通知がなされ、その指定期間である平成１３年２月２日に訂正請求の補正がなされたものである。
　
２．訂正請求の補正の適否についての判断
　訂正請求の補正の内容は、全文訂正明細書中の新請求項７の記載、「導光板の前記出射面の対向面に、大部分の光を正反射させる反射板が付設され、該反射板に、前記入射側面に対して垂直な方向に一様なパターンが形成されていることを特徴とする、請求項２に記載の面光源装置。」を、「前記反射板に、前記入射側面に対して垂直な方向に一様なパターンが形成されていることを特徴とする、請求項２に記載の面光源装置。」と補正し、訂正事項ｉ、訂正事項チ及び請求の原因（Ｃ）を補正するものである。
　そして、補正前の新請求項７では、新請求項２を引用しながら新請求項２に記載された「導光板の前記出射面の対向面に、大部分の光を正反射させる反射板が付設され」との構成要件を記載しており、かつ、訂正事項ｉには補正後の新請求項７の内容に訂正すると記載されていたのであるから、前記構成要件の記載は明らかな誤記に該当する。よって、新請求項７の補正は、明らかな誤記の訂正に該当するから、訂正請求の要旨を変更するものではない。
　また、訂正事項ｉの補正は、新請求項７の訂正が、請求項４（新請求項２）の訂正にも起因するものであることを明確にしたものであり、訂正事項チの補正は、段落【００５４】にも前記新請求項７と同様の誤記をしていたものを補正したものであり、請求の原因（Ｃ）の補正は、請求項４ｂとの明らかな誤記を請求項４と補正するものであり、いずれも、誤記訂正や不明りょうな記載の釈明に該当し、全文訂正明細書の内容を補正するものではないから、訂正請求の要旨を変更するものではない。
　以上のとおりであるから、訂正請求の補正はこれを認める。
　
３．訂正請求の適否についての判断
（１）訂正請求の内容
　訂正請求の内容は、特許請求の範囲の請求項１及び請求項２を削除し、請求項３の
「前記光線を偏向させるパターンは、前記出射面の対向面において、前記入射側面に垂直な方向に沿って複数列に形成され、前記集光パターンは、該偏向パターン付近に焦点を持つシリンドリカルレンズ形状であることを特徴とする、請求項１に記載の面光源装置。」
を、
「導光板と、該導光板の入射側面に近接配置された光源とを備えた面光源装置において、導光板中の光線を導光板の出射面に垂直な方向へ少しずつ偏向させるパターンと、導光板から出射する光線を前記入射側面及び前記出射面に対して垂直な平面の方向へ集光させるパターンとが、いずれも導光板の前記出射面又はその対向面のうち少なくとも一方の面に形成され、前記光線を偏向させるパターンは、前記出射面の対向面において、前記入射側面に垂直な方向に沿って複数列に形成され、前記集光パターンは、該偏向パターン付近に焦点を持つシリンドリカルレンズ形状であることを特徴とする面光源装置。」
と訂正して、請求項番号を「【請求項１】」に繰り上げ、
　請求項４の、
「導光板と、該導光板の入射側面に近接配置された光源とを備えた面光源装置において、導光板には、該導光板の出射面又はその対向面のうち少なくとも一方の面にパターンが形成され、前記入射側面と前記出射面に対して垂直な断面における前記出射面及びその対向面の平均傾斜角の和よりも、前記入射側面と平行な断面における前記出射面及びその対向面の平均傾斜角の和の方が大きいことを特徴とする面光源装置。」
を、
「導光板と、該導光板の入射側面に近接配置された光源とを備えた面光源装置において、導光板の出射面又はその対向面のうち少なくとも一方の面にパターンが形成され、導光板の該パターンは、前記入射側面と前記出射面に対して垂直な断面における前記出射面及びその対向面の平均傾斜角の和よりも、前記入射側面と平行な断面における前記出射面及びその対向面の平均傾斜角の和の方が大きく、かつ、前記光源から発せられた光線が、前記パターンで反射する度に前記出射面と垂直な方向となす角度が少しずつ小さくなり、その間に出射面と平行な方向では、前記入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように、構成され、導光板の前記対向面には、大部分の光を正反射させる反射板が付設されていることを特徴とする面光源装置。」
と訂正して、請求項番号を「【請求項２】」に繰り上げ、
請求項９の、
「導光板の前記出射面の対向面に、大部分の光を正反射させる反射板が付設され、該反射板に、前記入射側面に対して垂直な方向に一様なパターンが形成されていることを特徴とする、請求項４に記載の面光源装置。」
を、
「前記反射板に、前記入射側面に対して垂直な方向に一様なパターンが形成されていることを特徴とする、請求項２に記載の面光源装置。」
と訂正して、請求項番号を「【請求項７】」に繰り上げ、
　請求項５ないし請求項８，請求項１０ないし請求項３１の請求項番号及び引用する請求項番号を繰り上げる訂正を行い、
　発明の詳細な説明の記載を特許請求の範囲の訂正に整合するように訂正し、また、明らかな誤記の訂正を行うものである。
　
（２）訂正の目的の適否、新規事項の有無及び拡張・変更の存否
　特許請求の範囲の訂正は、請求項の削除は特許請求の範囲の減縮に該当し、請求項３の訂正は、従属請求項を独立請求項に変更した形式的な訂正であり、請求項４の訂正は、「光源から発せられた光線が、パターンで反射する度に出射面と垂直な方向となす角度が少しずつ小さくなり、その間に出射面と平行な方向では、前記入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように構成され」る点、「導光板の対向面には、大部分の光を正反射させる反射板が付設されている」点を、付加したものであるから、特許請求の範囲の減縮に該当し、前者については、特許明細書の段落番号【００４１】、【０１７４】〜【０１７６】及び【０１９６】に記載された事項から直接的かつ一義的に導き出せる事項であり、後者については、特許請求の範囲の請求項９及び特許明細書の段落番号【０１９９】に記載された事項であるから、新規事項の追加には該当しない。また、請求項９の訂正は、旧請求項４の請求項番号が請求項２に変更され、反射板の構成が付加されたことに伴う訂正であり、特許請求の範囲の減縮及び明りょうでない記載の釈明に該当し、新規事項の追加には該当しない。さらに、その他の請求項の訂正は、前記訂正に伴う形式的な訂正であり、特許請求の範囲の減縮及び明りょうでない記載の釈明に該当し、新規事項の追加には該当しない。
　さらに、発明の詳細な説明の訂正は、明りょうでない記載の釈明及び明らかな誤記の訂正に該当し、新規事項の追加には該当しない。
　そして、これらの訂正は、実質的に特許請求の範囲を拡張・変更するものにも該当しない。
　
（３）結論
　特許異議の申立のなかった請求項の訂正のうち、実質的な訂正があったのは、旧請求項９（新請求項７、以下、新たな請求項の番号で示す）、請求項１３ないし請求項１６であり、これらについては独立特許要件の検討が必要であるが、後に示すように、請求項７、請求項１３〜請求項１６が引用する請求項２は、特許を受けることができるものであるから、請求項７、請求項１３ないし請求項１６に係る発明は、特許出願の際、独立して特許を受けることができるものであり、本件訂正請求は、特許法第１２０条の４第２項及び同条第３項において準用する特許法第１２６条第２項から第４項までの規定に適合するので、当該訂正を認める。
４．特許異議申立について
（１）請求項に係る発明
　本件特許第２９５０２１９号の請求項２ないし請求項６、請求項８ないし請求項１２、請求項１７ないし請求項２７に係る発明は、訂正された特許明細書及び図面の記載からみて、その請求項２ないし請求項６、請求項８ないし請求項１２、請求項１７ないし請求項２７に記載された次のとおりのものである。
「【請求項２】導光板と、該導光板の入射側面に近接配置された光源とを備えた面光源装置において、導光板の出射面又はその対向面のうち少なくとも一方の面にパターンが形成され、導光板の該パターンは、前記入射側面と前記出射面に対して垂直な断面における前記出射面及びその対向面の平均傾斜角の和よりも、前記入射側面と平行な断面における前記出射面及びその対向面の平均傾斜角の和の方が大きく、かつ、前記光源から発せられた光線が、前記パターンで反射する度に前記出射面と垂直な方向となす角度が少しずつ小さくなり、その間に出射面と平行な方向では、前記入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように、構成され、導光板の前記対向面には、大部分の光を正反射させる反射板が付設されていることを特徴とする面光源装置。
【請求項３】前記入射側面と平行な方向において、前記パターンの周期が導光板の厚みの１／１０以下であることを特徴とする、請求項２に記載の面光源装置。
【請求項４】導光板の前記出射面には、前記入射側面と垂直な方向に一様なパターンを設け、その対向面には、前記入射側面と平行な方向に一様なパターンを設けたことを特徴とする、請求項２に記載の面光源装置。
【請求項５】導光板の前記出射面には、前記入射側面と垂直な方向に一様なパターンを設け、その対向面には、任意方向の断面における平均傾斜角がほぼ等しいパターンを設けたことを特徴とする、請求項２に記載の面光源装置。
【請求項６】前記パターンの前記入射側面と前記出射面に対して垂直な断面における形状が三角波状であることを特徴とする、請求項２に記載の面光源装置。
【請求項８】前記導光板は、前記入射側面から遠ざかるにつれて厚みが減少していることを特徴とする、請求項２に記載の面光源装置。
【請求項９】導光板の前記入射側面と前記出射面に対して垂直な断面における前記パターンの断面形状は、斜辺が光源側を向いた鋸刃状となっていることを特徴とする、請求項２に記載の面光源装置。
【請求項１０】導光板の前記入射側面と対向する側面に反射板を設置し、前記入射側面及び前記出射面に垂直な断面における前記パターンの断面形状は、左右対称な形状で並んでいることを特徴とする、請求項２に記載の面光源装置。
【請求項１１】導光板の前記入射側面に光学パターンを設けたことを特徴とする、請求項２に記載の面光源装置。
【請求項１２】導光板の前記入射側面は、前記出射面と垂直でない面を少なくとも一部に有していることを特徴とする、請求項２に記載の面光源装置。
【請求項１７】請求項２に記載の面光源装置と、その上方に配設された回折格子と、その上方に配設されたマイクロレンズアレイと、その上方に配設されたカラー液晶表示パネルとからなる画像表示装置であって、前記マイクロレンズアレイを構成する各微小レンズに対し、前記液晶表示パネルを構成する画素が複数ずつ対応し、前記面光源装置からの出射光は前記回折格子により色により異なる方向に回折され、該微小レンズにより当該色により対応する画素に集光させられる画像表示装置。
【請求項１８】請求項２に記載の面光源装置と、その上方に配置された一方向の偏光成分のみを透過し、残りの方向の光を反射させる素子と、その上方に配置された液晶表示パネルとからなる画像表示装置。
【請求項１９】請求項２に記載の面光源装置と、その上方に配置された液晶表示パネルとからなる画像表示装置であって、前記液晶表示パネルの観察側透明基板に直接拡散パターンが形成されている画像表示装置。
【請求項２０】請求項２に記載の面光源装置と、その上方に配置された液晶表示パネルと、前記面光源装置と前記液晶表示パネルとの間に設けたマイクロレンズアレイとからなる画像表示装置であって、液晶表示パネルを構成する２枚の透明基板の間にブラックマトリックスを設けない画像表示装置。
【請求項２１】請求項２に記載の面光源装置と、その上方に配置された液晶表示パネルと、該液晶表示パネル観察面に近接して配置された液晶表示パネル透過光拡散手段からなる画像表示装置であって、前記液晶表示パネルを構成する２枚の透明基板の間にブラックマトリックスを設けないことを特徴とする画像表示装置。
【請求項２２】請求項２に記載の面光源装置と、その上方に配置された液晶表示パネルと、該液晶表示パネル観察面に近接して配置された液晶表示パネル透過光拡散手段からなる画像表示装置であって、ブラックマトリックスが、前記拡散手段と前記液晶表示パネルの表面のうち少なくとも異なる２平面上に画素開口に対応させて設けられている画像表示装置。
【請求項２３】請求項２に記載の面光源装置と、その上方に配置された液晶表示パネルと、該液晶表示パネル観察面上に近接して配置され、方向により拡散度合いが異なる液晶表示パネル透過光拡散手段とからなる画像表示装置。
【請求項２４】請求項２に記載の面光源装置と、その上方に配置された液晶表示パネルとからなる画像表示装置であって、輝度ピークの方向から±３０°以上離れた方向の光強度が輝度ピークの方向の光強度の１／５以下である画像表示装置。
【請求項２５】請求項２に記載の面光源装置と、その上方に配置された液晶表示パネルとからなる画像表示装置であって、前記画像表示装置の画像表示面上の各場所における出射光の輝度ピークの方向が、前記画像表示面よりある距離離れた一点に向いている画像表示装置。
【請求項２６】請求項２に記載の面光源装置と、その上方に配置された液晶表示パネルとからなる画像表示装置であって、前記液晶表示パネルの観察側表面上または前記液晶表示パネルに付設したシート上にパターンが形成され、該パターン出射光輝度ピークの方向が、該パターン入射光輝度ピークの方向と異なる画像表示装置。
【請求項２７】前記パターン出射光輝度ピークの方向は、前記液晶表示パネルに垂直な方向とは異なる所定の方向である、請求項２６に記載の画像表示装置。」
　
（２）特許異議申立ての理由の概要
  これに対して、特許異議申立人長谷川孝子は、甲第１号証として、実願平３−５２９７６号（実開平５−６４０１号）全文明細書、甲第２号証として、特開平５−２０３９４７号公報、甲第３号証として、特開平２−８４６１８号公報、甲第４号証として、特開平５−７２５３２号公報、甲第５号証として、特開平５−２２４０１９号公報、甲第６号証として、特開平７−１６８０２６号公報、甲第７号証として、特開平８−１７９３２２号公報、甲第８号証として、特開平９−１０１５２１号公報、甲第９号証として、特開平９−５５２９号公報、甲第１０号証として、特開平９−１５４２６号公報、甲第１１号証として、特開平９−６１６３１号公報を提示して、本件の旧請求項１及び請求項２に係る発明は、甲第１号証又は甲第２号証に記載された発明と同一であり、又、甲第１、２号証に記載された発明に甲第３号証の公知技術を適用することにより、当業者が容易に発明をすることができたものであるから、特許法第２９条第１項第３号又は特許法第２９条第２項の規定により、特許を受けることができないものであり、旧請求項４及び請求項１０に係る発明は、甲第４号証又は甲第５号証に記載された発明と同一であるから、特許法第２９条第１項第３号の規定により、特許を受けることができないものであり、旧請求項１１に係る発明は、甲第４号証に記載された発明又は甲第５号証に記載された発明に甲第６号証の公知技術を適用することにより、当業者が容易に発明をすることができたものであるから、特許法第２９条第２項の規定により、特許を受けることができないものであり、旧請求項１、２、４、１０に係る発明は、甲第７号証、甲第８号証、甲第９号証、甲第１０号証、甲第１１号証に記載された発明と同一であるから、特許法第２９条の２の規定により、特許を受けることができないものであり、旧請求項５に係る発明は、甲第８号証に記載された発明と同一であるから、特許法第２９条の２の規定により、特許を受けることができないものである旨主張しており、特許異議申立人太田恵三は、甲第１号証として、特開平５−２０３９４７号公報、甲第２号証として、特開平６−２５００２４号公報、甲第３号証として、実願平１−１３３６３１号（実開平３−７１５０４号）全文明細書を提示して、本件の旧請求項１及び請求項２に係る発明は、甲第１号証及び甲第２号証に記載された発明と同一の発明であり、少なくとも、甲第１号証及び甲第２号証に記載された発明に基づいて、当業者が容易に発明をすることができたものであるから、特許法第２９条第１項第３号又は特許法第２９条第２項の規定により、特許を受けることができないものであり、旧請求項４に係る発明は、甲第１号証及び甲第３号証に記載された発明と同一の発明であり、少なくとも、甲第１号証及び甲第３号証に記載された発明に基づいて、当業者が容易に発明をすることができたものであるから、特許法第２９条第１項第３号又は特許法第２９条第２項の規定により、特許を受けることができないものである旨主張しており、特許異議申立人坂本陽は、甲第１号証として、特願平６−２７１４７８号（特開平８−１３６７３３号）の願書に最初に添付した明細書及び図面、甲第２号証として、特願平６−３２５５３３���（特開平８−１７９３２２号）の願書に最初に添付した明細書及び図面、甲第３号証として、特開平７−１８０８６０号（特開平９−５５２９号）の願書に最初に添付した明細書及び図面、甲第４号証として、特開平５−７２５３２号公報、甲第５号証として、特開平７−１９９１１６号公報、甲第６号証として、特開平２−１７号公報、甲第７号証として、特開平２−８４６１８号公報、甲第８号証として、米国特許第５、１２６、８８２号明細書、甲第９号証として、特開平５−２２４０１９号公報、甲第１０号証として、特開平５−１４２４２２号公報、甲第１１号証として、特開平５−８８１６８号公報、甲第１２号証として、実願平１−１３６０９１（実開平３−７５４７５号）公開全文、甲第１３号証として、特開平６−２３０３８４号公報、甲第１４号証として、特開平４−１８４４２９号公報、甲第１５号証として、特開平６−２６５８９２号公報、甲第１６号証として、特開平４−８１８１６号公報、甲第１７号証として、特開平６−１６０８３１号公報、甲第１８号証として、特開平４−３６６９１８号公報、甲第１９号証として、特開平６−６７００４号公報、甲第２０号証として、特開平６−２９４９５６号公報を提示して、本件の旧請求項１、２、４、５、７、１０、１９〜２９に係る発明は、特許法第２９条の２の規定に違反して特許されたものであり、旧請求項１、２、４、７、１０、１９〜２９に係る発明は、特許法第２９条第１項第３号の規定に違反して特許されたものであり、また、旧請求項１、２、４〜８、１０〜１４、１９〜２９に係る発明は、特許法第２９条第２項の規定に違反して特許されたものであり、更に、本件特許の明細書は特許法第３６条第４項又は第６項の規定を満たしていないものである旨主張している。
（３）甲各号証記載の発明
  特許異議申立人長谷川孝子の提示した甲第１号証には、
「【請求項１】表面を多数の突条部（３）が波形に並ぶプリズム面（４）とし、裏面を平滑面（５）とした単一部材で構成された超薄型の導光体（１）の、プリズム面（４）側に拡散フィルム（８）を、平滑面（５）側に反射フィルム（６）をそれぞれ設けると共に、前記導光体（１）の少なくとも一側端面から光源（２）の光を導光体（１）内に入射し、その光を反射フィルム（６）で反射させてプリズム面（４）側を発光させるようにしたことを特徴とする導光体装置。
【請求項２】前記プリズム面（４）の突条部（３）の断面の形状は頂角（θ）が７５°〜９０°の二等辺三角形であることを特徴とする請求項１に記載の導光体装置。」（実用新案登録請求の範囲）が記載されており、
　同じく甲第２号証には、
「【請求項１】側端面に光源が配設された透明部材から成る導光板の背面側には反射板が設けられ前面側には拡散板が設けられて成る面状発光体装置において、前記導光板の背面には前記光源からの距離に応じて反射率を可変した反射処理を直接に施し、同じ導光板の前面には複数の線状としたプリズムカットを前記光源の照射方向と線方向が略平行するように形成したことを特徴とする面状発光体装置。
　・・・
【請求項５】前記反射処理は前記導光板の背面に施された梨地処理の上に前記光源からの距離が遠くなる程に密度を低めるように透明樹脂を塗布したものとされていることを特徴とする請求項１〜請求項３記載の面状発光体装置。
【請求項６】前記導光板の背面には前記光源からの距離が遠くなる程に厚みを薄くするテーパー部が形成されていることを特徴とする請求項４、請求項５記載の面状発光体装置。」（特許請求の範囲請求項１、請求項５及び請求項６）、
「本発明は、例えばワードプロセッサ或いはパーソナルコンピュータなどのＯＡ機器を携帯用とするときに採用される液晶表示装置のバックライトとして使用される面状発光体装置に関するものである。」（段落番号【０００１】）、
「導光板２の前面側に施されるプリズムカット２１は、前記導光板２の前面に低面を密着する三角柱状に形成されるものであり、このときに、前記した三角柱状の軸Ｚを前記光源３からの光の導光板２内部への進行方向に沿わせるものとし且つ前記プリズムカット２１は夫々が密接する状態で複数が前記導光板２の前面の全面を覆うように設けられ、所謂ローレット加工状のものとされている。」（段落番号【０００９】）、
「図５は要部で示す本発明の第四実施例であり、この第四実施例においては前記導光板２の背面側の全面には微細な凹球面など適宜な形状とされた窪みが集合された梨地処理２４とされ」（段落番号【００１５】）、
「図６に示すものは本発明の第五実施例であり、前述の第一〜第四実施例の何れもが反射板２の前面と背面とが平行な板状のものを採用していたのに対し、この第五実施例においては導光板７の背面側には前記光源３からの距離が遠くなる程に厚みを減ずるテーパー部７ａが設けられたものであり、この導光板７においても前面にプリズムカット２１或いはヘアライン加工２３が施され、背面には反射処理２２若しくは、梨地処理２４に膜面２５が形成されたものとされることは前述の実施例と同様である。」（段落番号【００１８】）と記載されており、
　同じく甲第３号証には、
「少なくとも一つの側端を入射面とし、これと直交する面を光出射面とし、かつ出射面の反対側に反射器を備えた第１エレメントと、上記第１のエレメントからの出射光を入射させる入射面と所定の方向に光を出射させる出射面とを備えた第２のエレメントとから構成され、上記第１のエレメントの光出射面にはその仮想平面が上記反射器の面と実質的に平行な梨地面を有しており、かつ上記第２のエレメントの入射面には多数のプリズム単位が形成されていることを特徴とする面光源素子。」（特許請求の範囲）、
「第１エレメントである導光体表面をできるだけ均一に粗面加工・・・を施し、その形成された梨地面と出射光の出射方向性を詳細に検討した結果、出射面の法線に対し７０〜８０度方向に殆んどの光が出射していることを見出し、この方向を法線方向に変換させることを考えて本発明を完成させた。」（公報第３頁左上欄第８行〜第１６行）と記載されており、
　同じく甲第４号証には、
「【請求項１】上面を照光面とする導光板と、該導光板の少なくともその一側端に光源を設けた平面照光装置において、該導光板の下面に照光面側を開口部とする棒状の突起物を、上記、光源の光の進む方向に沿って多数設けたことを特徴とする平面照光装置。
【請求項２】請求項１記載の平面照光装置において、前記、多数の棒状突起物の下側に反射体を設けたことを特徴とする平面照光装置。」（特許請求の範囲、請求項１及び請求項２）と記載されており、
　同じく甲第５号証には、
「導光板の一側面に光拡散板を重ねて、その一側部に光源を配置し、少なくとも光源とこの光源に相対する導光体の反光源側端面及び導光体の他側面とを反射体で覆った側方光源型の平面照光装置において、前記導光板の一側面及び／または他側面に、前記光源から離れるに従って拡大する複数の凹溝を、導光板の光源側端面と反光源側端面とを結ぶ方向に形成したことを特徴とする平面照光装置。」（特許請求の範囲、請求項１）と記載されており、
　同じく甲第６号証には、
「【請求項１】上面及び下面並びに光が入射されるべき一つの側面を有する平板状の導光板において、前記下面に沿った第１の方向であって前記側面に実質的に直交する第１の方向に対して交差する第２の方向に延びた断面略Ｖ字状の第１の溝が前記下面に形成され、前記下面の面積に対する前記第１の溝を形成している両側の傾斜面の面積の比率が前記側面から前記第１の方向に遠ざかるにつれて大きくなるように前記第１の溝が形成されてなることを特徴とする導光板。」（特許請求の範囲、請求項１）と記載されており、
　同じく甲第７号証には、
「導光体（３）と、導光体（３）の１以上の側面側に設けられ得る１以上の光源（５）と、導光体（３）に入射した光を分散させて略均一な高輝度発光拡散面を構成させ得る均一化手段、とを含む液晶表示装置用バックライトユニットであって、上記均一化手段は、導光体（３）の成型時に導光体（３）の少なくとも一方の面に同時形成され、入射光に垂直な断面がジグザグ状を呈する部分（９）を含んで成ることを特徴とする液晶表示装置用バックライトユニット。」（特許請求の範囲）、
「導光板３は、その縦断面形状として、図１に示すようにランプ５から垂直方向に離れるにつれて肉厚が漸次減少するような片くさび形状を有する。尚、これに限定されるものではなく、例えば均一平板状、凹状、凸状、Ｕ状、Ｖ状、両くさび状などの縦断面形状（図示せず）を有するように構成することができる。
【００１０】導光板３の上面は、同図に示すようにランプ５に平行な横断面（換言すると、入射光に垂直な断面）の形状として、連続した鋭い山形状、すなわちジグザグ状の部分９（均一化手段）を有する。このジグザグ状部９は、輝度分布改善のための手段であって、本実施例において導光板３上面に設けられるが、これに代えあるいは加えて下面にも設けることができる。尚、本実施例の導光板３の下面には、更なる輝度分布改善のためにシルクパターン印刷による粗面１９が付加的・追加的に別の後工程で形成されるが、これは本発明成立に不可欠な要素ではない。また、シルク印刷に変えてエッチングシボパターン等の射出成形凹凸を上面のジグザグ状部９と同一に形成することも出来る。」（段落番号【０００９】〜【００１０】）と記載されており、
　同じく甲第８号証には、
「エッジライト型面状光源用導光体であり、かつ１辺のエッジ面または相対峙する２辺のエッジ面が受光部とされる導光板において、該導光板の表面に当たる射出面側に、受光エッジ面と直角方向に稜線を持つ三角、半円または波状プリズム形状が、受光エッジ面と平行に複数個形成され、かつ該導光板の裏面に光散乱層が形成されていることを特徴とする面状光源用導光体。」（特許請求の範囲、請求項１）、
「【０００６】図１は本発明のエッジライト型面状光源用導光体を示す三面図であり、その構成、作用効果を説明すると、光源４を発し、受光面８から入った光は導光板１の中を反射しながら進行する・・・プリズム形状は導光板１の受光面８と直角方向にプリズム２の三角形の稜線が形成される必要があり、・・・導光体は受光面から遠くなるに従って厚みが薄くなるいわゆるくさび形であっても良い。
【０００７】プリズムの形状はその縦断面形状が前述のように三角形（図１（ｃ））、半円状（図２（ａ））、波状（図２（ｂ））の形状など射出する光を屈折させて導光板１の上面の鉛直方向に屈折させる機能があれば良い。・・・導光板１の上面は三角プリズム形状２となっているのでプリズムを通った光は、より鉛直方向に屈折させられて射出することになり、実質的な鉛直方向の輝度が上昇する。」（段落番号【０００６】〜【０００７】）、
「（実施例１）２００ｍｍ角×厚み４ｍｍの板上面に頂角が９０度、高さが３０μｍの縦断面２等辺三角形の三角プリズムのその稜線が板の１辺と平行になるように形成される」（段落番号【００１４】）と記載されており、
　同じく甲第９号証には、
「【請求項１】入光端面に配設された光源から入光した光を散乱させ、その出光面から光を出光する導光板において、入光端面に対してその稜線が直角又は傾斜し且つその断面が逆Ｖ形である凸条が出光面に形成されている事を特徴とする導光板。
【請求項２】請求項１に記載の導光板において、凸条の頂角が３０°〜１５０°であり、凸条の稜線と入光端面との挟角が７０°〜９０°であり、凸条間のピッチが１０μｍ〜６００μｍである事を特徴とする導光板。」（特許請求の範囲、請求項１及び請求項２）、
「入光端面(S1)に対してその稜線(9)が直角又は傾斜し且つその断面が逆Ｖ形（乃至三角形）である凸条(8)を出光面(S2)に形成すると、前記凸条(8)は導光板(1)内に導入された光を導光板(1)の奥に導く機能と、導光板(1)内を反射散乱して出光面(S2)から出光する光のうち、入光端面(S1)に平行な方向での出光角分布を出光面(S2)に垂直な方向に集光する機能を有している」（段落番号【０００７】）、「導光板(1)の第１実施例は、図１及び２に示すように、楔形に形成されており、反射面(S3)に白色印刷ドット(6)又はシボを設け、更にその出光面(S2)に入光端面(S1)に対してその稜線(9)が直角又は傾斜し且つその断面が逆Ｖ字状（換言すれば二等辺三角形）である凸条(8)を多数平行に形成した例である。」（段落番号【００１１】）と記載されており、
　同じく甲第１０号証には、
「【請求項１】入光端面に配設された光源から入光した光を散乱させ、その出光面から光を出光する導光板において、出光面に凸条が突設されており、前記凸条の頂角部における断面の輪郭線が曲線状に形成され且つ前記凸条が入光端面に対して直角又は傾斜している事を特徴とする導光板。
【請求項２】請求項１に記載の導光板において、凸条の頂角部における断面の輪郭線が、円弧又は正弦関数、放物線、楕円或いは誤差関数の一部で構成されている事を特徴とする導光板。
【請求項３】請求項１又は２に記載の導光板において、凸条の頂角が３０°〜１５０°であり、凸条と入光端面との挟角が７０°〜９０°であり、凸条間のピッチが１０μｍ〜６００μｍである事を特徴とする導光板。
【請求項４】出光面の反対側に位置する反射面に、入光端面から遠ざかるにつれて次第にその密度を増すように白色印刷ドット乃至凹凸シボを形成し、出光面上での輝度分布を均一にした事を特徴とする請求項１〜３のいずれかに記載した導光板。
【請求項５】導体内に光拡散剤を添加して導体内で光を拡散させ、出光面上での輝度分布を均一にした事を特徴とする請求項１〜３のいずれかに記載した導光板。
【請求項６】請求項１乃至５のいずれかに記載の導光板と、該導光板の少なくとも一端に設けられている入光端面に沿って配設される光源と、光源の背方に配設されており光源からの光を入光端面に集光させるリフレクタと、導光板の出光面上に必要に応じて配設される拡散シート並びにその溝列が前記入光端面に対して略平行に設置される１枚の指向性シートと、導光板の出光面に対して反対側の反射面に沿って配設される反射シートと、導光板の光反射端面に配設される端面反射テープとで構成されている事を特徴とする面型照明体。」（特許請求の範囲）が記載されており、
　同じく甲第１１号証には、
「入光端面に配設された光源から入光した光を散乱させ、その出光面から光を出光する導光板において、出光面又はその反対側に位置する反射面又は前記出光面と反射面の両方に凸条又は凹条乃至凸条と凹条とが平行且つ入光端面に対して直角又は傾斜するように形成されており、互いに隣接せる前記条のピッチが１０μｍ〜６００μｍであり、且つ出光面の凸条又は凹条の構成面が鏡面状態に仕上げられている事を特徴とする導光板。」（特許請求の範囲、請求項１）、
「【００５１】【実施例】以下、本発明の基本形状の導光板(1)と、この導光板(1)を利用した面型照明体(A)の一例に付いて説明する。導光板(1)は図１に示すように、光源(2)が配設される入光端面(S1)が幅広に形成されており、入光端面(S1)の反対側の光反射端面(S4)が幅狭に形成されていて、両端面(S1)(S4)間の出光面(S2)に対して反射面(S3)が傾斜するように形成されていて、その断面があたかも楔状をなすように形成されている。・・・
【００５２】反射面(S3)には白色印刷ドット(6)又はシボが設けられており、更にその出光面(S2)に入光端面(S1)に対して凸条(8)の列が直角又は傾斜するように形成されている。」（段落番号【００５１】〜【００５２】）と記載されている。
　また、特許異議申立人太田恵三の提示した甲第１号証は、特許異議申立人長谷川孝子の提示した甲第２号証であるから、前記発明が記載されており、
　同じく甲第２号証には、
「【請求項１】被照明体を後方から面状に照明する透光性の導光板と、該導光板の一側端部に配された管状光源と、該管状光源の周囲に配され管状光源から外側に発散する光を導光板側に反射させる光源反射鏡とを備え、前記導光板は、前記管状光源からの光を一側端部で入射する端部入射面と、内部の後方への光を後面で前方に反射する後面反射面と、内部の光を前方の前記被照明体側に出射する前面出射面とを有せしめられた面光源装置において、前記光源反射鏡は、偏平率が１より大とされた断面視半楕円形状に形成され、前記導光板の後面反射面は、前記管状光源から離間するほど傾斜角が大となるよう放物線状に湾曲形成され、導光板の前面出射面には、多数のプリズムが管状光源の管軸に直交する方向に連なって断面視鋸刃状に形成され、該各プリズムは、管状光源からの光を斜めに出射させる光透過面と、該光透過面から斜めに出射した光を前方に反射させる光反射面とが、頂角を挟んで互いに傾斜配置されてなり、該プリズムの頂角は、管状光源から離間するほど鋭く形成されたことを特徴とする面光源装置。」（特許請求の範囲）が記載されており、
　同じく甲第３号証には、
「光源と該光源側に入射端面を近接配置した導光体と該導光体の表面及び裏面に付設した拡散板及び反射板とから成る面光源装置において、上記導光体の入射端面側から対向端面側へ延びる複数条の断面鋸歯状にした山型溝を形成し、該山型溝は上記光源からの距離に従って上記鋸歯状山型の高さ又は深さが大きくなるようにテーパ状になっていることを特徴とする面光源装置。」（実用新案登録請求の範囲）が記載されている。
　また、特許異議申立人坂本陽の提示した甲第１号証には、
「【請求項１】透明板の裏面に微細な凹凸を不規則且つ密に刻設して散乱面を形成すると共に、該透明板の表面に微細な凹凸を付与して発光面を形成したバックライトパネル。
【請求項２】発光面に於ける微細な凹凸を、線状凹部の組み合わせによって構成した請求項１のバックライトパネル。
【請求項３】線状凹部を、互いに微小ピッチで平行に配設される直線状凹部とした請求項２のバックライトパネル。
【請求項４】直線状凹部の走行方向と直交する端面を光源で照明するようにした請求項３のバックライトパネル。
【請求項５】光源で照明される端面部から遠ざかるに従って直線状凹部のピッチが小さくなるようにした請求項４のバックライトパネル。
【請求項６】直線状凹部の走行方向と平行な端面を光源で照明するようにした請求項３のバックライトパネル。
【請求項７】直線状凹部のピッチを３０μm 〜２００μm に設定した請求項２，３，４又は請求項６の何れか一に記載のバックライトパネル。
【請求項８】直線状凹部の断面形状を二等辺三角形とした請求項２乃至請求項７の何れか一に記載のバックライトパネル。
【請求項９】発光面に形成された凹部の深さを３０μm 〜１００μm に設定した請求項１乃至請求項８の何れか一に記載のバックライトパネル。
【請求項１０】透明板の表裏に微細な凹凸を不規則且つ密に刻設して散乱面を形成したバックライトパネル。
【請求項１１】透明板をアクリル樹脂で形成した請求項１乃至請求項１０の何れかに記載のバックライトパネル。」（特許請求の範囲）が記載されており、
　同じく甲第２号証は、特許異議申立人長谷川孝子の提示した甲第７号証であるから、前記発明が記載されており、
　同じく甲第３号証は、特許異議申立人長谷川孝子の提示した甲第９号証であるから、前記発明が記載されており、
　同じく甲第４号証は、特許異議申立人長谷川孝子の提示した甲第４号証であるから、前記発明が記載されており、
　同じく甲第５号証には、
「【産業上の利用分野】本願発明は、入射光を体積領域で散乱させながら導光させる機能を有する光学要素（以下、「平行光束化素子」と言う。）を利用して非平行性の光束を平行化された光束に変換する機能を有する平行光束化装置に関し、また、非平行性の光束を必要に応じて拡大された均一な平行性の光束に変換する機能を併せ備えた平行光束化装置に関する。本願発明は、平行光束を必要とする任意のアプリケーションに適用可能であるが、特に、平行光束を照明、投光、情報伝達等の目的で用いる型の各種装置に有効に利用され得るものである。」（段落番号【０００１】）、
「図３において、１は指向出射性の光散乱導光体からなる楔形状の平行光束化素子で、・・・光入射面２側の端部で４．０ｍｍ、末端部３で０．２ｍｍとした。Ｌは平行光束化素子１の入射面２から１ｍｍ離して配置された直径３ｍｍの蛍光ランプで、このランプｌから右方に向かって光を入射させ、光取出面５から平行化された光束を取り出す配置とした。また、Ｒは入射面２から入射する光量を出来るだけ多くする為に適宜配置される反射手段で、ここでは銀箔を用いた。
【００３８】平行光束化素子１の裏面４には、光拡散インキパターンや凹凸拡散面等、強い光散乱を生じさせる為の処理は特に施されていない。そして、裏面４に対向しては、裏面４から出射される光を平行光束化素子１内に復帰させる為の反射体Ｓが適宜を配置される。」（段落番号【００３７】〜【００３８】）、
「本願発明は、光入射面２の側から見て平行光束化素子１の横断方向に関して平行光束性を向上させる手段をも提供するものである。以下、図１１及び図１２を参照してこの手段について説明する。
【００７２】図１１（ａ）、（ｂ）は、この横断方向の光出射方向修正手段を、平行光束化素子１’、１”の光取出面にプリズム面５’、５”として形成した例を表わしている。
【００７３】図１１（ａ）では、平行光束化素子１’の光取出面５’が横断方向に繰り返される３角プリズム凹凸面として形成されている。」（段落番号【００７１】〜【００７３】）と記載されており、
　同じく甲第６号証には、
「少なくとも一つの側端を入射面とし、これと直交する面を光出射面とし、かつ出射面の反対側に反射器を備えた第１エレメントと、上記第１のエレメントからの出射光を入射させる入射面と所定の方向に光を出射させる出射面とを備えた第２のエレメントとから構成され、上記第１のエレメントの光出射面には光の進行方向に直交し所定方向に光を出射させる多数のレンズ単位を有しており、かつ上記第２のエレメントの入射面には多数のプリズム単位が形成されていることを特徴とする面光源素子。」（特許請求の範囲）が記載されており、
　同じく甲第７号証は、特許異議申立人長谷川孝子の提示した甲第３号証であるから、前記発明が記載されており、
　同じく甲第８号証には、翻訳文が添付されていないが、特許異議申立人によれば、甲第６号証及び甲第７号証と同様の記載があり、
　同じく甲第９号証は、特許異議申立人長谷川孝子の提示した甲第５号証であるから、前記発明が記載されており、
　同じく甲第１０号証には、
「【請求項１】透明平板の片面に、断面三角形状山部を連結して鋸歯状全反射プリズム型導光面を形成した導光体と、上記導光体の片端面側に近接・配置した光源と、上記導光面に近接・配置した反射板と、上記導光体の導光面に対向する光射出面側に近接・配置した拡散板とを具備したことを特徴とする平面発光ユニット。
【請求項２】導光体の光源に対向する片端面に全反射型テーパ面を形成したことを特徴とする請求項１記載の平面発光ユニット。
【請求項３】底辺に隣接した垂直辺と傾斜辺とを頂部にて連結して断面三角形状山部を形成したことを特徴とする請求項１記載の平面発光ユニット。
【請求項４】底辺に隣接した２傾斜辺を頂部にて連結して断面三角形状山部を形成したことを特徴とする請求項１記載の平面発光ユニット。
【請求項５】底辺に隣接した２等辺を頂部にて連結して断面２等辺三角形状山部を形成し、且つ、導光体両端面側に２個の光源を対向・配置したことを特徴とする請求項４記載の平面発光ユニット。
【請求項６】導光面の左半面と右半面とで三角形の垂直辺と傾斜辺を対称に設け、且つ、導光体両端面側に２個の光源を対向・配置したことを特徴とする請求項３記載の平面発光ユニット。」（特許請求の範囲請求項１ないし請求項６）、
「上記技術的手段によれば、光源から導光体内に入射した光は、導光面に対し入反射を繰り返す間にその角度が徐々に変化していき、臨界角を越えると、屈折して外部に取り出される。」（段落番号【０００９】）と記載されており、
　同じく甲第１１号証には、
「【請求項１】視野方向より光拡散板、透明導光板および反射板を順次積層し、透明導光板の少なくとも一側面に線状光源を備えた面状光源装置において、該側面に光散乱手段を有してなることを特徴とする面状光源装置。
【請求項２】前記光散乱手段の効果が、側面中央から両端に向けて漸次弱くなる請求項１に記載の面状光源装置。」（特許請求の範囲）が記載されており、
　同じく甲第１２号証には、
「光源と、入射端面を光源に近接配置した導光体と、導光体の表面に設けた拡散面と、導光体の裏面に設けた反射面とよりなる面光源装置において、前記導光体の入射端面を断面形状が拡散面側及び反射面側に比べて中央が導光体の内側に位置するＶ字状をなすことを特徴とする面光源装置。」（実用新案登録請求の範囲）が記載されており、
　同じく甲第１３号証には、
【請求項１】第１の色の光を変調するための少なくとも１つの第１領域及び第２の色の光を変調するための少なくとも１つの第２領域を有する空間光変調器と、多色光を受け取り、該第１の色の光を該第１領域に照射し、該第２の色の光を該第２領域に照射するための回折手段とを備えているカラー表示装置。
・・・
【請求項４】前記空間光変調器の前記光変調領域は、赤、緑及び青の要素からなるグループで配置されており、前記回折手段が複数の素子を備えており、該複数の素子の各素子が各グループの該３つの領域へ該３つの色の光をそれぞれ照射する請求項３に記載の装置。
・・・
【請求項７】前記回折手段が回折格子を備えている請求項１〜６のいずれかに記載の装置。
・・・
【請求項１３】前記間隔をおいて配置された格子素子上に光を集中させるためにマイクロレンズテレスコープ配置が設けられている請求項１２に記載の装置。」
（特許請求の範囲、請求項１、４、７及び請求項１３）が記載されており、
　同じく甲第１４号証には、
「偏光光源装置及びこれを用いた投射型液晶表示装置」に関する発明が記載されており、
「偏光分離器３０３は・・・光源側から入射する無偏光光３０４はｐ−偏光３０５のみ透過し、ｓ−偏光３０６は２回反射されて光源側へ戻る。」（公報第３頁左下欄第９行〜第１５行）と記載されており、
　同じく甲第１５号証には、
「光源と光源に近接配置された面状導光体とからなる照明装置において、光源は面状導光体の側部から光が入射されるように配置されているとともに、面状導光体の光出射面側に、出射する光が面状導光体表面に対してほぼ直角になるような光偏向手段を設け、さらにその上に、断面が三角形状の柱状プリズムアレイのアレイ状部分に偏光分離層を積層した偏光分離器を配置したことを特徴とする照明装置。」（特許請求の範囲、請求項１）が記載されており、
　同じく甲第１６号証には、
「２枚の透明基板をそれぞれ透明画素電極を設けた面が対向するように所定の間隔を隔てて重ね合せ、両基板間に液晶を封止してなる表示パネルを有する液晶表示装置において、上記２枚の透明基板のうち表示側の透明基板に光拡散層または光拡散面を設けたことを特徴とする液晶表示装置。」が記載されており、
　同じく甲第１７号証には、
「【請求項１】多数の画素（７）と透明電極（４、８）および液晶（１０）を利用した液晶表示パネルの表示面に対向する光制御板（３２）を配設し、該光制御板（３２）には該画素（７）に対向する透光性光拡散層（２２、３４）と該表示パネルの画素用ブラックマトリックス（６）　に対向する光吸収層（２１、３３）とが形成されてなること、を特徴とする液晶表示装置。
【請求項２】一対のガラス基板（１、５）の対向間隙に液晶（１０）を充填した前記液晶表示パネルの表示側ガラス基板（５）の外面には、該表示パネルのブラックマトリックス（６）に対向する光吸収層（２１、３３）を形成したのち、表面に透光性光拡散層（２２、３４）を形成した偏光板（９）を貼着したこと、を特徴とする液晶表示装置。
【請求項３】前記液晶表示パネルの表示面には偏光板（９）を設け、該偏光板（９）には、該表示パネルの画素（７）に対向する透光性光拡散層（２２、３４）と該表示パネルのブラックマトリックス（６）に対向する光吸収層（２１、３３）とが形成されてなること、を特徴とする液晶表示装置。」（特許請求の範囲）が記載されており、　
　同じく甲第１８号証には、
「【請求項１】背面にバックライトを有する透過型ドットマトリックス液晶表示装置において、液晶パネルを構成する基板のうち背面側に位置する基板のバックライト側の面に赤、緑、青（以下ＲＧＢと略記する）のカラーフィルターを有し、前記カラーフィルターとバックライトの間に各表示ドットに対応したマイクロレンズアレイを有することを特徴とする透過型ドットマトリックスカラー液晶表示装置。」（特許請求の範囲、請求項１）が記載されており、
　同じく甲第１９号証には、
「【請求項１】活性エネルギー線硬化型樹脂組成物から形成され、その表面に頂角の角度が７０〜１１０゜の一連の細長い断面三角形状のプリズムが連続して多数形成さてなることを特徴とする液晶表示装置用三角プリズムシート。」（特許請求の範囲、請求項１）、
「【発明の効果】本発明の三角プリズムシートは、特定の範囲のプリズム頂角の角度を有し、少なくともプリズム部を活性エネルギー線硬化型樹脂組成物によって構成することによって、ファインピッチのプリズムパターンを容易に形成できるとともに、液晶画面の光の拡散を抑制して、輝度の高い指向性に優れた液晶表示装置を提供でき、背面照明手段に格別の明るさ向上を行うことなく、カラー液晶表示装置でも十分な輝度が得られるものである。」（段落番号【００２７】）と記載されており、
　同じく甲第２０号証には、
「【請求項１】ＬＣＤパネル用の一体的カバーガラスであって、該カバーガラスの前表面の外側と一体的なマイクロレンズアレイを有し、各マイクロレンズによって光が集光され、該パネルからの光出力が増加するように構成したことを特徴とするカバーガラス。
・・・
【請求項５】前記マイクロレンズアレイの各マイクロレンズが球状の表面を有することを特徴とする請求項１記載のカバーガラス。
【請求項６】前記マイクロレンズアレイの各マイクロレンズが回折格子パターンであることを特徴とする請求項１記載のカバーガラス。
【請求項７】前記回折格子パターンが、環状表面の連続的な段付部分からなることを特徴とする請求項６記載のカバーガラス。」（特許請求の範囲、請求項１、５ないし請求項７）が記載されている。
　
Ａ．特許法第２９条第１項第３号及び同法第２９条第２項について
ａ）本件の請求項２に係る発明について
（４）対比
　本件の請求項２に係る発明（以下、本件発明２という。）と特許異議申立人長谷川孝子の提示した甲第５号証、特許異議申立人坂本陽の提出した甲第５号証及び甲第９号証（以下、刊行物１、刊行物２及び刊行物３という。）とを対比すると、これらは、
「導光板と、該導光板の入射側面に近接配置された光源とを備えた面光源装置において、導光板の出射面又はその対向面のうち少なくとも一方の面にパターンが形成され、導光板の該パターンは、前記入射側面と前記出射面に対して垂直な断面における前記出射面及びその対向面の平均傾斜角の和よりも、前記入射側面と平行な断面における前記出射面及びその対向面の平均傾斜角の和の方が大きく、かつ、前記光源から発せられた光線が、前記パターンで反射する度に前記出射面と垂直な方向となす角度が少しずつ小さくなり、その間に出射面と平行な方向では、前記入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように、構成され、導光板の前記対向面には、大部分の光を正反射させる反射板が付設されている面光源装置」
である点で一致しているが、
　本件発明２では、（光源から発せられた光線が、パターンで反射する度に出射面と垂直な方向となす角度が少しずつ小さくなり）「その間に出射面と平行な方向では、入射側面に対して垂直な方向に少し進む間に、前記入射側面に平行な方向に激しく方向を変化させ、かつ、出射面から出射される光線が、前記入射側面にほぼ垂直で前記出射面にほぼ平行な方向に揃った指向性を有するように、構成され」ているのに対し、刊行物１ないし刊行物３では、この構成要件を具備していない点、で相違している。
　
（５）当審の判断
　上記相違点について検討するに、特許異議申立人長谷川孝子の提示した甲第１号証ないし甲第６号証、特許異議申立人太田恵三の提示した甲第１号証ないし甲第３号証、特許異議申立人坂本陽の提示した甲第４号証ないし甲第２０号証を参照しても、甲各号証には、本件発明２の構成要件である、「光源から発せられた光線が、パターンで反射する度に出射面と垂直な方向となす角度が少しずつ小さくなり、その間に出射面と平行な方向では、入射側面に対して垂直な方向に少し進む間に、前記入射側面に平行な方向に激しく方向を変化させ」ることに関する記載はなく、また、刊行物２には、出射光線が出射面から中心角度２５゜の指向性を持つことが記載されており、特許異議申立人長谷川孝子の提示した甲第３号証（特許異議申立人坂本陽の提示した甲第７号証と同じ）及び特許異議申立人坂本陽の提示した甲第８号証には、出射光が出射面の法線方向に対して７０〜８０度の指向性を持つことが記載されているが、「出射面から出射される光線が、入射側面にほぼ垂直で前記出射面にほぼ平行な方向に揃った指向性を有する」ことは、甲各号証に記載されていないし、示唆されてもいない。
　そして、本件発明２は、当該構成要件を具備することにより、明細書に記載されているように、「面光源装置からは一方向に揃った光を出射させることができるので、画像表示装置の正面輝度を向上させ、正面からの視認性を高める。また、正面方向に揃った光（画像）は用途に応じて容易に光線方向を変換、制御することができる。」、という作用効果を奏する。
　したがって、本件発明２は、甲各号証に記載された発明と同一の発明ではなく、また、甲各号証に記載された発明に基づいて、当業者が容易に発明をすることができたものでもない。
　
ｂ）本件の請求項３ないし請求項６、請求項８ないし請求項１２、請求項１７ないし請求項２７に係る発明について
（４）対比・判断
　本件の請求項３ないし請求項６、請求項８ないし請求項１２、請求項１７ないし請求項２７に係る発明は、本件発明２の構成要件をすべて含む発明であるから、本件発明２と同様に、甲各号証に記載された発明と同一の発明ではなく、また、甲各号証に記載された発明に基づいて、当業者が容易に発明をすることができたものでもない。
　
Ｂ．特許法第２９条の２について
ａ）本件の請求項２に係る発明について
（４）対比・判断
　本件発明２と、特許異議申立人長谷川孝子の提示した甲第７号証ないし甲第１１号証、特許異議申立人坂本陽の提示した甲第１号証ないし甲第３号証に記載された発明とを対比すると、甲各号証には、本件発明２の構成要件である、「光源から発せられた光線が、パターンで反射する度に出射面と垂直な方向となす角度が少しずつ小さくなり、その間に出射面と平行な方向では、入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように、構成され」た点、について記載されていないし、示唆されてもいない。
　そして、本件発明２は、当該構成要件を具備することにより、明細書に記載されているように、「面光源装置からは一方向に揃った光を出射させることができるので、画像表示装置の正面輝度を向上させ、正面からの視認性を高める。また、正面方向に揃った光（画像）は用途に応じて容易に光線方向を変換、制御することができる。」、という作用効果を奏する。
　したがって、本件発明２は、甲各号証に記載された発明と同一の発明ではない。
ｂ）本件の請求項３ないし請求項６、請求項８ないし請求項１２、請求項１７ないし請求項２７に係る発明について
　（４）対比・判断
　本件の請求項３ないし請求項６、請求項８ないし請求項１２、請求項１７ないし請求項２７に係る発明は、本件発明２の構成要件をすべて含む発明であるから、本件発明２と同様に、甲各号証に記載された発明と同一の発明ではない。
　
Ｃ．特許法第３６条について
（特許異議申立人の主張）
　特許異議申立人坂本陽は、本件旧請求項１の「導光板中の光線を導光体の出射面に垂直な方向へ少しずつ偏向させるパターン」、旧請求項６の「入射側面と平行な方向に一様なパターン」、旧請求項７の、「任意方向の断面における平均傾斜角がほぼ等しいパターン」、旧請求項１１の、「導光板の入射側面と出射面に対して垂直な断面におけるパターンの断面形状」、旧請求項１２の、「入射側面及び出射面に垂直な断面におけるパターンの断面形状」は、偏向パターンの要件が不明であるから、発明が不明確であり、また、旧請求項７には、「任意方向の断面における平均傾斜角がほぼ等しいパターン」と記載されているが、発明の詳細な説明の欄には、このような特徴を持つパターンをどのようにして得ることができるのかについての記載はないから、当業者は、旧請求項７の発明を実施できない旨主張している。
　
（当審の判断）
　旧請求項１及び旧請求項２は削除されているので、旧請求項１に対する記載不備は検討を要さないものとなった。
　新請求項２には、「光源から発せられた光線が、前記パターンで反射する度に前記出射面と垂直な方向となす角度が少しずつ小さくなり、その間に出射面と平行な方向では、前記入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように、構成され、」と規定されている、
　そして、該規定によれば、「光線が、パターンで反射する度に出射面と垂直な方向となす角度が少しずつ小さくな」るとは、最終的に、「出射面から出射される光線が、入射側面にほぼ垂直で出射面にほぼ平行な方向に揃った指向性を有する」ようにする、ための構成要件であることは明らかであり、平均傾斜角の具体的値を規定する必要があるものとも認められない。
　また、明細書の段落番号【０１８０】には、
「図１７は具体的な形状の集光パターン５８と偏向パターン５７を備えた面光源装置６０を示す斜視図である。この実施形態にあっては、集光パターン５８はＸ軸方向に一様な断面三角形の三角プリズム状に形成されており、導光板５２の出射面５６全体に設けられている。偏向パターン５７はＹ軸方向に一様な断面三角形状に形成されており、導光板５２の下面全体に形成されている。」
と記載されており、「Ｙ軸方向に一様な」が「入射側面と平行な方向に一様な」に相当し、
　明細書の段落番号【０２１０】には、
「（ＺＸ平面と平行な断面におけるパターン）導光板５２のＺＸ平面と平行な断面におけるパターン（Ｘ方向パターンという）７６は図４２に示すような三角波状が好ましい。」
と記載されており、「ＺＸ平面と平行な断面」が「導光板の入射側面と出射面に対して垂直な断面」に相当し、
　明細書の段落番号【０２０７】には、
「図４０に示すものは本発明のさらに別な実施形態による面光源装置７４を示す斜視図である。この面光源装置７４にあっては、導光板５２の上面にはＸ軸方向に一様な集光パターン５８が形成されており、下面には任意方向の断面における平均傾斜角がほぼ等しく（θｘ＊≒θｙ＊）、かつ小さな拡散パターン７５が設けられている。この拡散パターン７５はランダムなパターンであって、例えば導光板５２の下面に微細な凹凸加工を施したり、光拡散性の塗料を塗布したりして容易に形成することができるが、従来例の拡散層とは異なり、その平均傾斜角は小さなものとなっている。すなわち、導光板５２の下面はランダムではあるが、緩やかに（あるいは、浅く）微細な凹凸加工等が施されている。」
と記載されており、「任意方向の断面における平均傾斜角がほぼ等しく、かつ小さな拡散パターン」が「任意方向の断面における平均傾斜角がほぼ等しいパターン」に相当するから、前記請求項に係る発明は明確であり、
　さらに上記明細書の段落番号【０２０７】には、「任意方向の断面における平均傾斜角がほぼ等しく、かつ小さな拡散パターン」の製造方法が記載されているので、当業者ならば、その発明を実施できるものと認められる。
　
　よって、本件明細書に、特許法第３６条に規定する要件を満たさない記載不備がある、との特許異議申立人の主張は採用できない。
　
（５）むすび
  以上のとおりであるから、本件請求項２ないし請求項６、請求項８ないし請求項１２、請求項１７ないし請求項２７に係る発明の特許は、特許異議申立ての理由及び証拠によっては取り消すことができない。
  また、他に本件請求項２ないし請求項６、請求項８ないし請求項１２、請求項１７ないし請求項２７に係る発明の特許を取り消すべき理由を発見しない。
　
　よって、結論のとおり決定する。
【異議決定日】
平成１３年３月９日（２００１．３．９）
【訂正の要旨】
１．訂正事項１
　特許請求の範囲の請求項１及び請求項２を削除し、請求項３の
「前記光線を偏向させるパターンは、前記出射面の対向面において、前記入射側面に垂直な方向に沿って複数列に形成され、前記集光パターンは、該偏向パターン付近に焦点を持つシリンドリカルレンズ形状であることを特徴とする、請求項１に記載の面光源装置。」
を、
「導光板と、該導光板の入射側面に近接配置された光源とを備えた面光源装置において、導光板中の光線を導光板の出射面に垂直な方向へ少しずつ偏向させるパターンと、導光板から出射する光線を前記入射側面及び前記出射面に対して垂直な平面の方向へ集光させるパターンとが、いずれも導光板の前記出射面又はその対向面のうち少なくとも一方の面に形成され、前記光線を偏向させるパターンは、前記出射面の対向面において、前記入射側面に垂直な方向に沿って複数列に形成され、前記集光パターンは、該偏向パターン付近に焦点を持つシリンドリカルレンズ形状であることを特徴とする面光源装置。」
と訂正して、請求項番号を「【請求項１】」に繰り上げる。
２．訂正事項２
　請求項４の、
「導光板と、該導光板の入射側面に近接配置された光源とを備えた面光源装置において、導光板には、該導光板の出射面又はその対向面のうち少なくとも一方の面にパターンが形成され、前記入射側面と前記出射面に対して垂直な断面における前記出射面及びその対向面の平均傾斜角の和よりも、前記入射側面と平行な断面における前記出射面及びその対向面の平均傾斜角の和の方が大きいことを特徴とする面光源装置。」
を、
「導光板と、該導光板の入射側面に近接配置された光源とを備えた面光源装置において、導光板の出射面又はその対向面のうち少なくとも一方の面にパターンが形成され、導光板の該パターンは、前記入射側面と前記出射面に対して垂直な断面における前記出射面及びその対向面の平均傾斜角の和よりも、前記入射側面と平行な断面における前記出射面及びその対向面の平均傾斜角の和の方が大きく、かつ、前記光源から発せられた光線が、前記パターンで反射する度に前記出射面と垂直な方向となす角度が少しずつ小さくなり、その間に出射面と平行な方向では、前記入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように、構成され、導光板の前記対向面には、大部分の光を正反射させる反射板が付設されていることを特徴とする面光源装置。」
と訂正して、請求項番号を「【請求項２】」に繰り上げる。
３．訂正事項３
　請求項９の、
「導光板の前記出射面の対向面に、大部分の光を正反射させる反射板が付設され、該反射板に、前記入射側面に対して垂直な方向に一様なパターンが形成されていることを特徴とする、請求項４に記載の面光源装置。」
を、
「前記反射板に、前記入射側面に対して垂直な方向に一様なパターンが形成されていることを特徴とする、請求項２に記載の面光源装置。」
と訂正して、請求項番号を「【請求項７】」に繰り上げる。
４．訂正事項４
　請求項５ないし請求項８，請求項１０ないし請求項３１の請求項番号及び引用する請求項番号を繰り上げる。
５．訂正事項５
　明細書の段落番号【００３３】、
「【発明の開示】
　本発明による請求項１に記載の面光源装置は、導光板と、該導光板の入射側面に近接配置された光源とを備えた面光源装置において、導光板中の光線を導光板の出射面に垂直な方向へ少しずつ偏向させるパターンと、導光板から出射する光線を前記入射側面及び前記出射面に対して垂直な平面の方向へ集光させるパターンとが、いずれも導光板の前記出射面又はその対向面のうち少なくとも一方の面に形成されていることを特徴としている。」
を、
「【発明の開示】
　本発明による請求項１に記載の面光源装置は、導光板と、該導光板の入射側面に近接配置された光源とを備えた面光源装置において、導光板中の光線を導光板の出射面に垂直な方向へ少しずつ偏向させるパターンと、導光板から出射する光線を前記入射側面及び前記出射面に対して垂直な平面の方向へ集光させるパターンとが、いずれも導光板の前記出射面又はその対向面のうち少なくとも一方の面に形成され、前記光線を偏向させるパターンは、前記出射面の対向面において、前記入射側面に垂直な方向に沿って複数列に形成され、前記集光パターンは、該偏向パターン付近に焦点を持つシリンドリカルレンズ形状であることを特徴としている。」
と訂正する。
６．訂正事項６
　明細書の段落番号【００３４】、
「しかして、導光板中の光線は、導光板の出射面及びその対向面で全反射を繰り返しながら進行し、偏向用のパターンが設けられている側の面で反射される度に少しずつ出射面と垂直な方向へ偏向されて行く。そして、出射面で全反射の臨界角を越えた光は出射面から外部へ出射される。ここで、偏向用のパターンによって光は少しずつ方向を変えられているので、導光板の出射面から出る光は臨界角に近い角度で出射面に入射し、出射面と小さな角度を成してほぼ平行に出射する。こうして出射面から出る光は、出射面とほぼ平行な方向に広がっているが、集光用のパターンによって入射側面及び出射面と垂直な平面の方向へ集光させられるので、出射面から出射する光は当該垂直な面内へ集められ、その結果一方向に揃った指向性の高い光となる。」
を、
「しかして、導光板中の光線は、導光板の出射面及びその対向面で全反射を繰り返しながら進行し、偏向用のパターンが設けられている側の面で反射される度に少しずつ出射面と垂直な方向へ偏向されて行く。そして、出射面で全反射の臨界角を越えた光は出射面から外部へ出射される。ここで、偏向用のパターンによって光は少しずつ方向を変えられているので、導光板の出射面から出る光は臨界角に近い角度で出射面に入射し、出射面と小さな角度を成してほぼ平行に出射する。こうして出射面から出る光は、出射面とほぼ平行な方向に広がっているが、偏向パターン付近に焦点を持つシリンドリカルレンズ形状をした集光用のパターンによって入射側面及び出射面と垂直な平面の方向へ集光させられるので、出射面から出射する光は当該垂直な面内へ集められ、その結果一方向に揃った指向性の高い光となる。」
と訂正する。
７．訂正事項７
明細書の段落番号【００３６】〜【００３８】を削除する。
８．訂正事項８
明細書の段落番号【００３９】、
「本発明による請求項４に記載の面光源装置は、導光板と、該導光板の入射側面に近接配置された光源とを備えた面光源装置において、導光板には、該導光板の出射面又はその対向面のうち少なくとも一方の面にパターンが形成され、前記入射側面と前記出射面に対して垂直な断面における前記出射面及びその対向面の平均傾斜角の和よりも、前記入射側面と平行な断面における前記出射面及びその対向面の平均傾斜角の和の方が大きいことを特徴としている。」
を、
「本発明による請求項２に記載の面光源装置は、導光板と、該導光板の入射側面に近接配置された光源とを備えた面光源装置において、導光板の出射面又はその対向面のうち少なくとも一方の面にパターンが形成され、導光板の該パターンは、前記入射側面と前記出射面に対して垂直な断面における前記出射面及びその対向面の平均傾斜角の和よりも、前記入射側面と平行な断面における前記出射面及びその対向面の平均傾斜角の和の方が大きく、かつ、前記光源から発せられた光線が、前記パターンで反射する度に前記出射面と垂直な方向となす角度が少しずつ小さくなり、その問に出射面と平行な方向では、前記入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように、構成され、導光板の前記対向面には、大部分の光を正反射させる反射板が付設されていることを特徴としている。」
と訂正する。
９．訂正事項９
　明細書の段落番号【００４１】、
「導光板の入射側面と出射面に対して垂直な断面における出射面及びその対向面の平均傾斜角の和よりも、入射側面と平行な断面における出射面及びその対向面の平均傾斜角の和の方が大きい場合には、導光板内の光線がパターンで反射する度に、出射面と垂直な方向となす角度が少しずつ小さくなり、その間に出射面と平行な方向では激しく反射方向が変動し、そのため入射側面とほぼ垂直な方向へ向けて光線が導光板の出射面から出射される。この結果、一方向に揃った指向性の高い光線が得られる。」
を、
「導光板の入射側面と出射面に対して垂直な断面における出射面及びその対向面の平均傾斜角の和よりも、入射側面と平行な断面における出射面及びその対向面の平均傾斜角の和の方が大きく、かつ、前記光源から発せられた光線が、前記パターンで反射する度に前記出射面と垂直な方向となす角度が少しずつ小さくなり、その間に出射面と平行な方向では、前記入射側面に対して垂直な方向に少し進む間に、前記入射側面に平行な方向に激しく方向を変化させる場合には、導光板内の光線がパターンで反射する度に、出射面と垂直な方向となす角度が少しずつ小さくなり、その間に出射面と平行な方向では激しく反射方向が変動し、そのため入射側面とほぼ垂直な方向へ向けて光線が導光板の出射面から出射される。この結果、一方向に揃った指向性の高い光線が得られる。」
と訂正する。
１０．訂正事項１０
　明細書の段落番号【００４２】、【００４８】、【００５０】、【００５２】、【００５６】、【００５８】、【００６２】、【００６４】、【００６５】、【００６７】、【００６９】、【００７１】、【００８０】、【００９２】、【００９６】、【０１０３】、【０１０５】、【０１０６】、【０１０７】、【０１０９】、【０１１３】、【０１２５】、【０１３９】、【０１４０】、【０１４１】、【０１６２】、【０１６４】において、引用する請求項番号を２繰り上げる。
１１．訂正事項１１
　明細書の段落番号【００５４】、
「請求項９に記載の実施態様は、請求項４記載の面光源装置において、導光板の前記出射面の対向面に、大部分の光を正反射させる反射板が付設され、該反射板に、前記入射側面に対して垂直な方向に一様なパターンが形成されていることを特徴としている。」
を、
「請求項７に記載の実施態様は、請求項２記載の面光源装置において、前記反射板に、前記入射側面に対して垂直な方向に一様なパターンが形成されていることを特徴としている。」
と訂正する。
１２．訂正事項１２
　明細書の段落番号【００６８】、
「光源が２本以上の線分上に配置されていて直線状でない場合でも、各線分上の光源に対して導光板を１つずつ対応させることにより、請求項１や請求項４のような構成をとることができ、各導光板毎に光の出射方向を一方向に揃えることができる。」
を、
「光源が２本以上の線分上に配置されていて直線状でない場合でも、各線分上の光源に対して導光板を１つずつ対応させることにより、請求項２のような構成をとることができ、各導光板毎に光の出射方向を一方向に揃えることができる。」
と訂正する。
１３．訂正事項１３
　明細書の段落番号【０１２７】、
「請求項２７に記載の画像表示装置は、請求項４に記載の面光源装置と、その上方に配置された液晶表示パネルとからなる画像表示装置であって、前記画像表示装置の画像表示面上の各場所における出射光の輝度ピークの方向が、前記画像表示面よりある距離離れた一点に向いている画像表示装置。」
を、
「請求項２５に記載の画像表示装置は、請求項２に記載の面光源装置と、その上方に配置された液晶表示パネルとからなる画像表示装置であって、前記画像表示装置の画像表示面上の各場所における出射光の輝度ピークの方向が、前記画像表示面よりある距離離れた一点に向いていることを特徴としている。」
と訂正する。
１４．訂正事項１４
　明細書の段落番号【０２０６】、
「また、導光板５２の上面にＸ軸方
向の
を、
「また、導光板５２の上面にＸ軸方向のパターン（偏向パターン５７）が設けられていても、Ｘ軸方向の平均傾斜角
θｘ＊
と訂正する。
（５４）【発明の名称】
面光源装置、当該面光源装置を用いた画像表示装置及び当該面光源装置に用いるプリズムアレイ
（５７）【特許請求の範囲】
　【請求項１】　導光板と、該導光板の入射側面に近接配置された光源とを備えた面光源装置において、
　導光板中の光線を導光板の出射面に垂直な方向へ少しずつ偏向させるパターンと、
　導光板から出射する光線を前記入射側面及び前記出射面に対して垂直な平面の方向へ集光させるパターンとが、
　いずれも導光板の前記出射面又はその対向面のうち少なくとも一方の面に形成され、
　前記光線を偏向させるパターンは、前記出射面の対向面において、前記入射側面に垂直な方向に沿って複数列に形成され、前記集光パターンは、該偏向パターン付近に焦点を持つシリンドリカルレンズ形状であることを特徴とする面光源装置。
　【請求項２】　導光板と、該導光板の入射側面に近接配置された光源とを備えた面光源装置において、
　導光板の出射面又はその対向面のうち少なくとも一方の面にパターンが形成され、
　導光板の該パターンは、
前記入射側面と前記出射面に対して垂直な断面における前記出射面及びその対向面の平均傾斜角の和よりも、前記入射側面と平行な断面における前記出射面及びその対向面の平均傾斜角の和の方が大きく、
かつ、前記光源から発せられた光線が、前記パターンで反射する度に前記出射面と垂直な方向となす角度が少しずつ小さくなり、その間に前記出射面と平行な方向では、前記入射側面に対して垂直な方向に少し進む間に、前記入射側面に平行な方向に激しく方向を変化させ、
かつ、前記出射面から出射される光線が、前記入射側面にほぼ垂直で前記出射面にほぼ平行な方向に揃った指向性を有するように、構成され、
　導光板の前記対向面には、大部分の光を正反射させる反射板が付設されていることを特徴とする面光源装置。
　【請求項３】　前記入射側面と平行な方向において、前記パターンの周期が導光板の厚みの１／１０以下であることを特徴とする、請求項２に記載の面光源装置。
　【請求項４】　導光板の前記出射面には、前記入射側面と垂直な方向に一様なパターンを設け、その対向面には、前記入射側面と平行な方向に一様なパターンを設けたことを特徴とする、請求項２に記載の面光源装置。
　【請求項５】　導光板の前記出射面には、前記入射側面と垂直な方向に一様なパターンを設け、その対向面には、任意方向の断面における平均傾斜角がほぼ等しいパターンを設けたことを特徴とする、請求項２に記載の面光源装置。
　【請求項６】　前記パターンの前記入射側面と前記出射面に対して垂直な断面における形状が三角波状であることを特徴とする、請求項２に記載の面光源装置。
　【請求項７】　前記反射板に、前記入射側面に対して垂直な方向に一様なパターンが形成されていることを特徴とする、請求項２に記載の面光源装置。
　【請求項８】　前記導光板は、前記入射側面から遠ざかるにつれて厚みが減少していることを特徴とする、請求項２に記載の面光源装置。
　【請求項９】　導光板の前記入射側面と前記出射面に対して垂直な断面における前記パターンの断面形状は、斜辺が光源側を向いた鋸刃状となっていることを特徴とする、請求項２に記載の面光源装置。
　【請求項１０】　導光板の前記入射側面と対向する側面に反射板を設置し、前記入射側面及び前記出射面に垂直な断面における前記パターンの断面形状は、左右対称な形状で並んでいることを特徴とする、請求項２に記載の面光源装置。
　【請求項１１】　導光板の前記入射側面に光学パターンを設けたことを特徴とする、請求項２に記載の面光源装置。
　【請求項１２】　導光板の前記入射側面は、前記出射面と垂直でない面を少なくとも一部に有していることを特徴とする、請求項２に記載の面光源装置。
　【請求項１３】　前記光源が少なくとも２本以上の線分上に配置されており、各線分上の光源に対して１つの導光板が対応していることを特徴とする、請求項２に記載の面光源装置。
　【請求項１４】　前記導光板の出射面にほぼ垂直な側面が、前記入射側面に対してほぼ平行もしくはほぼ垂直であることを特徴とする、請求項１３に記載の面光源装置。
　【請求項１５】　前記光源が少なくとも２本以上の線分上に配置され、導光板は該各線分上の光源に対して少なくとも一つの入射側面を備えており、導光板の入射直後の光線方向の範囲が、該各入射側面によらずほぼ同一となるよう該入射側面上にパターンを形成したことを特徴とする、請求項２に記載の面光源装置。
　【請求項１６】　一方向に一様なパターンを有し、前記パターンの底角が６０°以上であるプリズムシートを、導光板の出射面上に配設した、請求項２に記載の面光源装置。
　【請求項１７】　請求項２に記載の面光源装置と、その上方に配設された回折格子と、その上方に配設されたマイクロレンズアレイと、その上方に配設されたカラー液晶表示パネルとからなる画像表示装置であって、
　前記マイクロレンズアレイを構成する各微小レンズに対し、前記液晶表示パネルを構成する画素が複数ずつ対応し、前記面光源装置からの出射光は前記回折格子により色により異なる方向に回折され、該微小レンズにより当該色により対応する画素に集光させられる画像表示装置。
　【請求項１８】　請求項２に記載の面光源装置と、その上方に配置された一方向の偏光成分のみを透過し、残りの方向の光を反射させる素子と、その上方に配置された液晶表示パネルとからなる画像表示装置。
　【請求項１９】　請求項２に記載の面光源装置と、その上方に配置された液晶表示パネルとからなる画像表示装置であって、
　前記液晶表示パネルの観察側透明基板に直接拡散パターンが形成されている画像表示装置。
　【請求項２０】　請求項２に記載の面光源装置と、その上方に配置された液晶表示パネルと、前記面光源装置と前記液晶表示パネルとの間に設けたマイクロレンズアレイとからなる画像表示装置であって、
　液晶表示パネルを構成する２枚の透明基板の間にブラックマトリックスを設けない画像表示装置。
　【請求項２１】　請求項２に記載の面光源装置と、その上方に配置された液晶表示パネルと、該液晶表示パネル観察面に近接して配置された液晶表示パネル透過光拡散手段からなる画像表示装置であって、
　前記液晶表示パネルを構成する２枚の透明基板の間にブラックマトリックスを設けないことを特徴とする画像表示装置。
　【請求項２２】　請求項２に記載の面光源装置と、その上方に配置された液晶表示パネルと、該液晶表示パネル観察面に近接して配置された液晶表示パネル透過光拡散手段からなる画像表示装置であって、
　ブラックマトリックスが、前記拡散手段と前記液晶表示パネルの表面のうち少なくとも異なる２平面上に画素開口に対応させて設けられている画像表示装置。
　【請求項２３】　請求項２に記載の面光源装置と、その上方に配置された液晶表示パネルと、該液晶表示パネル観察面上に近接して配置され、方向により拡散度合いが異なる液晶表示パネル透過光拡散手段とからなる画像表示装置。
　【請求項２４】　請求項２に記載の面光源装置と、その上方に配置された液晶表示パネルとからなる画像表示装置であって、
　輝度ピークの方向から±３０°以上離れた方向の光強度が輝度ピークの方向の光強度の１／５以下である画像表示装置。
　【請求項２５】　請求項２に記載の面光源装置と、その上方に配置された液晶表示パネルとからなる画像表示装置であって、
　前記画像表示装置の画像表示面上の各場所における出射光の輝度ピークの方向が、前記画像表示面よりある距離離れた一点に向いている画像表示装置。
　【請求項２６】　請求項２に記載の面光源装置と、その上方に配置された液晶表示パネルとからなる画像表示装置であって、
　前記液晶表示パネルの観察側表面上または前記液晶表示パネルに付設したシート上にパターンが形成され、該パターン出射光輝度ピークの方向が、該パターン入射光輝度ピークの方向と異なる画像表示装置。
　【請求項２７】　前記パターン出射光輝度ピークの方向は、前記液晶表示パネルに垂直な方向とは異なる所定の方向である、請求項２６に記載の画像表示装置。
　【請求項２８】　単位となるパターンの底角が６０°以上であることを特徴とするプリズムシート。
　【請求項２９】　前記パターンの頂点が平らに鈍っていることを特徴とする、請求項２８に記載のプリズムシート。
【発明の詳細な説明】
　【０００１】
　【発明の属する技術分野】
　本発明は面光源装置、特にエッジライト型の面光源装置に関する。さらに、本発明は、当該面光源装置を用いた画像表示装置や当該面光源装置に用いるプリズムシートに関する。
　【０００２】
　【従来の技術】
　近年、液晶表示装置は、軽量かつ薄型という特徴を有することから、ラップトップ型やブック型等のパーソナルコンピュータ用やワードプロセッサ用のディスプレイを始めとして、電子手帳、携帯電話、液晶テレビ、その他の携帯端末機器、ビデオカメラ等のディスプレイにも用いられている。さらには、タイマカウンタ等の計測機器の表示部やバーチャルリアリティのオーバーヘッドディスプレイ、液晶プロジェクタ等にも用いられている。
　【０００３】
　（直下型面光源装置）
　これらの液晶表示装置には、液晶表示パネル（以下、ＬＣＤパネルという）の背面に直下型面光源装置を配置したものと、エッジライト型面光源装置を配置したものとがある。このうち、前者の直下型面光源装置１の正面図及び断面図を図１（ａ）（ｂ）に示す。直下型面光源装置１は、拡散板２，３の背面に設けた冷陰極管（蛍光管）のような線状光源４の後ろにリフレクタ５を配置した構造となっており、線状光源４から出射された光を拡散板２，３によって拡散させることで面光源装置１の出射面から均一に拡散光を出射させるようにしている。
　【０００４】
　かかる直下型面光源装置を用いた液晶表示装置にあっては、拡散板の背面に線状光源を複数本配列することができるので、高い出射輝度を得ることができるという特徴がある。しかしながら一方では、面光源装置全体で一様な輝度を得るためには、光源と拡散板との距離をある程度離す必要があるので、面光源装置が厚くなってしまい、その結果として液晶表示装置の特徴である薄型化を阻害するという問題があった。
　【０００５】
　（エッジライト型面光源装置）
　これに対し、エッジライト型面光源装置では、線状光源は導光板の側面に位置しているため、光源を薄型化できるという特徴があり、最近では液晶表示装置の薄型化の要求がより一層高まるにつれ、比較的薄型に構成できるエッジライト型面光源装置を用いたものが主流となってきている。
　【０００６】
　図２は、このようなエッジライト型面光源装置６の一部破断した分解斜視図を示す。エッジライト型面光源装置６は、光学要素として、線状光源７、リフレクタ８、導光板９、反射板１０、拡散板１１および一対の集光レンズ板１２，１３から構成される。線状光源７とリフレクタ８は、光学的に透明な導光板９の入射側面に配置されており、線状光源７から出た光は直接に、あるいはリフレクタ８で反射された後に入射側面から導光板９の内部に入射する。また、導光板９の入射側面以外の側面には隙間を隔てて金属誘電体の粗面からなる側面反射板１４（図５）が設けられている。ここで、線状光源７としては、冷陰極管（蛍光管）が用いられており、液晶表示装置６に必要とされる表示輝度に対応させて、直線状の単管あるいはＬ字管が使用される。
　【０００７】
　導光板９の下面には拡散層１５が形成されており、その下方に反射板１０が設けられている。拡散層１５は、例えばスクリーン印刷によって光拡散性の塗料等をドット印刷したものであり、図３（ａ）もしくは図３（ｂ）に示すように線状光源７から離れた側で拡散層１５の面積が次第に大きくなっている。あるいは、拡散層１５は、図４（ａ）（ｂ）に示すように、導光板９の下面に設けられた凹凸部でもよく、この場合にも線状光源７から離れるほど拡散層１５が幅広になっている。導光板９中の光は、導光板９の上面で全反射した後、あるいは導光板９下面の反射板１０及び導光板９上面で反射した後、あるいは直接に拡散層１５に入射して拡散層１５で拡散され、拡散層１５で反射された光のうち全反射条件から外れた光だけが導光板９の上面から出射される。また、線状光源７から遠い側で拡散層１５の面積が大きくなっているため、導光板９の全体で均一な輝度で光が出射される。
　【０００８】
　導光板９の上面には、拡散板１１と一対の集光レンズ板１２，１３が重ねられている。この拡散板１１は、表面に微細な凹凸加工（マット加工、シボ加工、梨地加工）を施した合成樹脂製のシートもしくはフィルムである。導光板９の上面から出た光は、拡散板１１によって拡散される。集光レンズ板１２，１３は、断面三角形状のプリズム部を平行に配列した構造となっており、上方の集光レンズ板１３と下方の集光レンズ板１２とは、互いに９０°回転させた向きに配置されている。しかして、拡散板１１で拡散された光は、集光レンズ板１２，１３で２方向に集光され、導光板９の上面にほぼ垂直な光線として出射される。
　【０００９】
　（導光板による導光効率）
　ここで、導光板９により線状光源７の光を出射面（上面）へ導く効率について説明しておく。まず、導光板９の下面に拡散層１５が存在しないと仮定して、導光板９内部での光の閉じ込めを考える。図５に示す光線Ｆ１は、導光板９の入射側面１６からその法線に対して９０°の入射角で入射した光線を示している。すなわち、光線Ｆ１の屈折角θ１は導光板９中での全反射の臨界角である。従って、空気中の屈折率をｎ１、導光板９の屈折率をｎ２とすると、屈折角θ１は次の▲１▼式のように表わされる。
θ１：＝ｓｉｎ−１（ｎ１／ｎ２）…▲１▼
また、導光板９下面への入射角θ２は、
θ２＝９０°−θ１…▲２▼
となる。ここで、導光板９の材質がポリカーボネイトであるとすると、ｎ２＝１．５９であるから、上記式▲１▼及び▲２▼式の値は、
θ１＝３８．９７°
θ２＝５１．０３°
となる。この入射角θ２は全反射の臨界角であるθ１よりも大きいから、導光板９の下面に拡散層１５が存在しないとすると、光線Ｆ１は導光板９の下面で全反射する。同じように、導光板９の上面でも全反射する。
　【００１０】
　線状光源７から導光板９内に入射する他の光線、例えば光線Ｆ２に対しては、屈折角θ３は屈折角θ１よりも小さいから、導光板９の上面及び下面への入射角θ４は前記入射角θ２よりも大きくなる。従って、線状光源７から導光板９の内部へ入射した光線Ｆ２は、導光板９の下面に拡散層１５がなければ、全て導光板９の上面及び下面で全反射される。
　【００１１】
　また、導光板９の入射側面１６以外の側面には側面反射板１４が設けられているので、側面反射板１４で反射した光はほとんど全てが導光板９内に再入射する。この再入射によっても、導光板９の上面及び下面への光の入射角は変化しないので、やはり全反射される。なお、金属誘電体からなる側面反射板１４による光のロスはほとんどない。
　【００１２】
　次に、光源側について考えると、線状光源７としては冷陰極管が用いられている。冷陰極管のガラス管表面には蛍光層が塗布されており、この蛍光層は外部からの光に対して完全拡散機能を持つ。すなわち、線状光源７に入射した光は再び線状光源７からロス無く反射される。
　【００１３】
　以上より、下面に拡散層１５を形成されていない導光板９では、線状光源７から導光板９の内部へ入射した光は非常に高い効率で導光板９内部に閉じ込められることが分かる。しかし、光を閉じ込めるだけでは光源とならず、この光を導光板９上面の出射面１７だけから取り出す必要がある。このために導光板９の下面には拡散層１５が形成されており、拡散層１５に入射した導光板９内部の光は拡散し、そのうち全反射条件から外れた角度の光が外部に取り出される。この光は、導体板９上面の拡散板１１によってさらに拡散されることになる。
　【００１４】
　よって、線状光源７からの光は、ほとんどロス無く液晶表示装置６の表示面方向へと非常に高い効率で出射されることになる。さらに、表示面方向からの入射光も、同様にして表示面方向へとロス無く再出射される。
　【００１５】
　（エッジライト型面光源装置における光の広がり）
　上記のような構成のエッジライト型面光源装置６において導光板９等から出射される光の広がりを図６に示す。まず、導光板９下面の拡散層１５で拡散反射された光線Ｆ３はランバート光として広がり、そのうち全反射条件から外れたものが導光板９の上面から出射されるので、導光板９の上面から出射される光線Ｆ４は１８０°の範囲で半球状に広がる。導光板９の上面から出射した光線Ｆ４は拡散板１１に入射して拡散されるので、拡散板１１の上面から出射された光線Ｆ５は再びランバート光となる。さらに、拡散板１１から出射された光は、２枚の集光レンズ板１２，１３によって２方向に集光されて上方へ出射される（光線Ｆ６）。
　【００１６】
　【発明が解決しようとする課題】
（液晶表示装置の正面輝度の低下）
　しかしながら、このような高効率のバックライト型面光源装置６も液晶表示装置のバックライト光源として用いた場合には、液晶表示装置の表示面における輝度が低いという問題があった。
　【００１７】
　液晶表示装置の正面輝度を高くするためには、もちろん面光源装置６からの光の出射方向が一方向に揃っている必要があるが、これ以外にも正面輝度の低下の原因としては、ＬＣＤパネルの開口率が低いということがある。ＬＣＤパネル２１は、図７に示すように、上面に薄膜トランジスタ（ＴＦＴ）２２や配線２３、ブラックマトリックス２４等を形成されたガラス板２５と、下面にカラーフィルタ２６及び透明電極２７を形成されたガラス板２８との間に液晶２９を封止し、それらの上下に偏光板３０，３１を配設したものである。ここで、ブラックマトリックス２４の部分は面光源装置６からの光を遮断し、ブラックマトリックス３４に囲まれた開口部分３２でのみ光が透過するが、この開口率が低いために液晶表示装置における表示面の輝度が低下している。特に、画質向上のためにＬＣＤパネル２１の画素を微細化する場合、ブラックマトリックス２４の部分を小さくすることには製造上限界があるので、開口部分３２の面積が小さくなり、輝度が低下する。
　【００１８】
　ブラックマトリックス２４によるこのような輝度低下を小さくするには、図８に示すように、面光源装置６から出た光をマイクロレンズアレイ３３によってＬＣＤパネル２１の開口部分３２に集光させ、面光源装置６から出た光がすべて開口部分３２を通過するようにすればよい。しかし、面光源装置６からの光の出射方向にバラツキがあると、マイクロレンズアレイ３３を用いても微小な開口部分３２に光を集めることができず、輝度を十分に高くすることができない。
　【００１９】
　（液晶表示装置の斜め方向輝度の低下）
　図９は液晶表示装置の表示面と垂直な方向（０°）を基準とした出射角と輝度との関係を示す図である。但し、曲線イはＴＦＴがオンしていて光透過状態となっている画素部分の輝度、曲線ロはＴＦＴがオフとなっていて光遮断状態となっている画素部分の輝度を表わし、出射角は線状光源７側で負の角度としている。図９より分かるように、液晶表示装置の正面では明暗のコントラストが高いが、斜め方向では光の透過率が悪くてコントラストが低く、大きな角度で斜めから見ると明暗のコントラストが反転したり、カラーの表示色が異なる色に見えたりする。
　【００２０】
　液晶表示装置がテレビのように複数人で使用する機器のディスプレイとして使用される場合には、表示画像が正面以外の方向からも見えるようにする必要がある。液晶表示装置は上記のように斜め方向からは見えにくいので、斜め方向からの視認性を改善するためには、図８に想像線で示すように、ＬＣＤパネル２１の上に拡散板３４を設け、ＬＣＤパネル２１から出た光を横方向へ広がらせることが考えられる。
　【００２１】
　しかしながら、ＬＣＤパネル２１の表面側に拡散板３４を設けると、光の発光点が拡散板３４上となるため、光の出射方向にバラツキのある面光源装置を用いると、図１０に示すように隣接した画素を通過した光が拡散板３４上で重なって発光点となり、画像がぼやけるという欠点があった。
　【００２２】
　（カラーフィルタによる輝度の低下）
　また、カラーフィルタを用いたカラー液晶表示装置では、各画素には特定波長の光のみを選択的に透過させる結果、透過光量は入射光量のせいぜい１／３となり、表示面の輝度が低下する。
　【００２３】
　この輝度低下を解消するため、図１１に示すように、面光源装置６からの白色光を回折格子３５によって赤色光（Ｒ）、緑色光（Ｇ）及び青色光（Ｂ）に分光し、各色の光をマイクロレンズアレイ３６で当該色の画素に集光させることにより輝度の低下を防止する方法がある。しかし、この方法を用いるためには、面光源装置６から出射される光が一方向に揃っていることが前提となる。
　【００２４】
　（偏光板による輝度の低下）
　さらに、上下に配設されている偏光板３０，３１によって一方向の偏光はカットされるので、ＬＣＤパネル２１の透過光量は入射光量のせいぜい１／２となり、液晶表示装置の表示面の輝度が低下する。
　【００２５】
　この輝度低下を解消する方法としては、下の偏光板に代えて偏光分離板を用いる方法が提案されている。偏光分離板３７を用いると、図１２に示すように、面光源装置６から出た光のうち一方向に偏光した光（Ｐ偏光という）は偏光分離板３７を透過し、さらに上の偏光板３０を通過して出射されるが、これと直交する方向に偏光した光（Ｓ偏光という）は偏光分離板３７で反射されて面光源装置６内に戻る。面光源装置６内に戻ったＳ偏光は面光源装置６内で拡散されて再び非偏光として面光源装置６から出射される。再度面光源装置６から出射された光は、Ｐ偏光成分のみが偏光分離板３７を透過し、Ｓ偏光成分は偏光分離板３７で反射されて面光源装置６内に戻る。このような過程を繰り返すことにより、面光源装置６から出射される全ての光がＰ偏光としてＬＣＤパネル２１から取り出され、偏光板による輝度の低下が解消される。
　【００２６】
　しかし、このような方法を用いる場合にも、面光源装置から出射される光が一方向に揃っていることが前提となる。
　【００２７】
（従来の面光源装置を用いた場合）
　以上述べたように、液晶表示装置における正面輝度の低下、斜め方向における輝度の低下、ＬＣＤパネルのブラックマトリックスによる輝度低下、カラーフィルタや偏光板による輝度低下などを解決するためには、面光源装置から出射される光の出射方向が揃っていることが前提となる。
　【００２８】
　このためには面光源装置から出た光を集光させてコリメート化する必要があり、従来のエッジライト型面光源装置６では、図６に示したように一対の集光レンズ板１２，１３によって導光板９から出た光を集光させている。しかしながら、従来のエッジライト型面光源装置６では、導光板９の出射面１７から全方位に出射された光を拡散板１１でランバート光に変換し、これを集光レンズ板１２，１３で集光させているため、光の集光度が十分でなかった。
　【００２９】
　また、従来のエッジライト型面光源装置においては、導光板９の上に拡散板や集光レンズ板を重ねているので、この拡散板や集光レンズ板の部分でも光量のロスが発生しており、面光源装置自体の輝度を低下させていた。
　【００３０】
　このため、液晶表示装置の輝度を向上させるために上記のような種々の方法を用いようとしても、満足な効果をあげることができなかった。
　【００３１】
　本発明は叙上の従来例の欠点に鑑みてなされたものであり、その目的とするところは、光出射方向を一方向の狭い範囲に揃えることができる、出射光の指向性の高い面光源装置を提供することにある。
　【００３２】
　さらに、本発明は上記面光源装置を用いることにより、無駄な光を有用な光に変換して液晶表示装置の輝度を高くし、また、一方向に揃った光の出射方向を制御することにより、液晶表示装置に用途に応じた視認性を与えることにある。
　【００３３】
　【発明の開示】
　本発明による請求項１に記載の面光源装置は、導光板と、該導光板の入射側面に近接配置された光源とを備えた面光源装置において、導光板中の光線を導光板の出射面に垂直な方向へ少しずつ偏向させるパターンと、導光板から出射する光線を前記入射側面及び前記出射面に対して垂直な平面の方向へ集光させるパターンとが、いずれも導光板の前記出射面又はその対向面のうち少なくとも一方の面に形成され、前記光線を偏向させるパターンは、前記出射面の対向面において、前記入射側面に垂直な方向に沿って複数列に形成され、前記集光パターンは、該偏向パターン付近に焦点を持つシリンドリカルレンズ形状であることを特徴としている。
　【００３４】
　しかして、導光板中の光線は、導光板の出射面及びその対向面で全反射を繰り返しながら進行し、偏向用のパターンが設けられている側の面で反射される度に少しずつ出射面と垂直な方向へ偏向されて行く。そして、出射面で全反射の臨界角を越えた光は出射面から外部へ出射される。ここで、偏向用のパターンによって光は少しずつ方向を変えられているので、導光板の出射面から出る光は臨界角に近い角度で出射面に入射し、出射面と小さな角度を成してほぼ平行に出射する。こうして出射面から出る光は、出射面とほぼ平行な方向に広がっているが、偏向パターン付近に焦点を持つシリンドリカルレンズ形状をした集光用のパターンによって入射側面及び出射面と垂直な平面の方向へ集光させられるので、出射面から出射する光は当該垂直な面内へ集められ、その結果一方向に揃った指向性の高い光となる。
　【００３５】
　従って、この面光源装置によれば、導光板のほぼ全体から一方向に揃った光を出射させることができる。また、光を揃えるために、従来のように拡散板や集光レンズ板などを用いていないので、これらの光学素子による光量のロスもなくなる。
　【００３６】
　すなわち、請求項１の偏向用のパターンとしては、断面三角形状のパターンとしてもよく、シリンドリカルレンズ形状としてもよい。シリンドリカルレンズ形状とする場合には、集光用のパターンは、当該シリンドリカルレンズ形状の偏向パターンの焦点付近に設けるのが好ましい。
　【００３７】
　本発明による請求項２に記載の面光源装置は、導光板と、該導光板の入射側面に近接配置された光源とを備えた面光源装置において、導光板の出射面又はその対向面のうち少なくとも一方の面にパターンが形成され、導光板の該パターンは、前記入射側面と前記出射面に対して垂直な断面における前記出射面及びその対向面の平均傾斜角の和よりも、前記入射側面と平行な断面における前記出射面及びその対向面の平均傾斜角の和の方が大きく、かつ、前記光源から発せられた光線が、前記パターンで反射する度に前記出射面と垂直な方向となす角度が少しずつ小さくなり、その間に前記出射面と平行な方向では、前記入射側面に対して垂直な方向に少し進む間に、前記入射側面に平行な方向に激しく方向を変化させ、かつ、前記出射面から出射される光線が、前記入射側面にほぼ垂直で前記出射面にほぼ平行な方向に揃った指向性を有するように、構成され、導光板の前記対向面には、大部分の光を正反射させる反射板が付設されていることを特徴としている。
　【００３８】
　ここで、平均傾斜角とは、パターンが出射面もしくはその対向面となす傾斜角（絶対値）の、対応する底辺の長さに関する平均値であって、パターンの各部分の傾斜角をθｋ（ｋ＝１，２，…）、対応する底辺の長さをΔＬｋとするとき、
θ＊＝Σ｜θｋ×ΔＬｋ｜／Σ｜ΔＬｋ｜
を平均傾斜角と呼ぶ。
　【００３９】
　導光板の入射側面と出射面に対して垂直な断面における出射面及びその対向面の平均傾斜角の和よりも、入射側面と平行な断面における出射面及びその対向面の平均傾斜角の和の方が大きく、かつ、前記光源から発せられた光線が、前記パターンで反射する度に前記出射面と垂直な方向となす角度が少しずつ小さくなり、その間に前記出射面と平行な方向では、前記入射側面に対して垂直な方向に少し進む間に、前記入射側面に平行な方向に激しく方向を変化させる場合には、導光板内の光線がパターンで反射する度に、出射面と垂直な方向となす角度が少しずつ小さくなり、その間に出射面と平行な方向では激しく反射方向が変動し、そのため入射側面とほぼ垂直な方向へ向けて光線が導光板の出射面から出射される。この結果、一方向に揃った指向性の高い光線が得られる。
　【００４０】
　請求項３に記載の実施態様は、請求項２記載の面光源装置において、前記入射側面と平行な方向における、前記パターンの周期が導光板の厚みの１／１０以下であることを特徴としている。
　【００４１】
　入射側面と平行な方向におけるパターン周期は十分に小さいことが望ましく、導光板の厚みの１／１０以下にすれば、導光板における光のムラを防止することができる。また、導光板の出射面から出射される光が十分に一方向に揃わなくなるのを防止できる。
　【００４２】
　請求項４に記載の実施態様は、請求項２に記載の面光源装置において、導光板の前記出射面に、前記入射側面と垂直な方向に一様なパターンを設け、その対向面に、前記入射側面と平行な方向に一様なパターンを設けたことを特徴としている。
　【００４３】
　入射方向に垂直な方向のパターンと平行な方向のパターンを導光板の出射面と対向面に分けて設けることにより、導光板の製造を容易にすることができる。また、入射側面と平行な方向のパターンを出射面から離れている対向面に設けることにより、上にプリズムシート等を重ねた時にモアレ縞が発生するのを防止することができる。
　【００４４】
　請求項５に記載の実施態様は、請求項２記載の面光源装置において、導光板の前記出射面に、前記入射側面と垂直な方向に一様なパターンを設け、その対向面に、任意方向の断面における平均傾斜角がほぼ等しいパターンを設けたことを特徴としている。
　【００４５】
　このような任意の方向における平均傾斜角がほぼ等しいパターンはランダムで緩やな拡散パターンとして形成することができるので、対向面におけるパターン作製を容易にすることができる。
　【００４６】
　請求項６に記載の実施態様は、請求項２に記載の面光源装置において、前記パターンの前記入射側面と前記出射面に対して垂直な断面における形状が三角波状であることを特徴としている。
　【００４７】
　当該断面における形状を三角波状にすれば、Ｖ溝状や台形状とする場合と比較して、光を一方向に揃えて導光板の出射面から出射させる効率が高くなる。
　【００４８】
　請求項７に記載の実施態様は、請求項２記載の面光源装置において、前記反射板に、前記入射側面に対して垂直な方向に一様なパターンが形成されていることを特徴としている。
　【００４９】
　導光板の下面に反射板を設けると光の利用効率を高くすることができる。また、正反射する反射板を用いると、面光源装置の指向性を低下させるのを防止できる。さらに、反射板に入射側面と垂直な方向に一様なパターンを形成すれば、導光板の出射面との対向面から出た光を反射板によって反射させる際、入射側面と平行な方向における光線の拡散作用を大きくすることができ、導光板から出射される光線の方向を揃える効率を高めることができる。
　【００５０】
　請求項８に記載の実施態様は、請求項２に記載の面光源装置において、前記導光板が、前記入射側面から遠ざかるにつれて厚みが減少していることを特徴としている。
　【００５１】
　導光板内の光は導光板内を全反射しながら厚みの厚い側から厚みの薄い側へ移動するにつれ、出射面の垂線となる角度が次第に小さくなるので、全反射の臨界角を越えた時に導光板の出射面から出射され、出射面から出る光の方向が一方向に揃えられる。
　【００５２】
　請求項９に記載の実施態様は、請求項２記載の面光源装置において、導光板の前記入射側面と前記出射面に対して垂直な断面における前記パターンの断面形状は、斜辺が光源側を向いた鋸刃状となっていることを特徴としている。
　【００５３】
　パターンの断面形状を鋸刃状にして斜辺を光源側に向ければ、三角波状のパターンに比べて光源から入射した光線をより多く出射面から取り出すことができ、光の出射効率が向上する。
　【００５４】
　請求項１０に記載の実施態様は、請求項２に記載の面光源装置において、導光板の前記入射側面と対向する側面に反射板を設置し、前記入射側面及び前記出射面に垂直な断面における前記パターンの断面形状は、左右対称な形状で並んでいることを特徴としている。
　【００５５】
　光源から導光板に入射した光だけでなく、側面の反射板で反射されて再度導光板に入射した光もその光線の方向を偏向させて出射面から一定方向へ出射させることができる。よって、反射しながら光源側から離れてゆく光と、光源側へ近づいてゆく光を揃えて取り出すことができ、光の出射効率が向上する。
　【００５６】
　請求項１１に記載の実施態様は、請求項２記載の面光源装置において、導光板の前記入射側面に光学パターンを設けたことを特徴としている。
　【００５７】
　また、請求項１２に記載の実施態様は、請求項２に記載の面光源装置において、導光板の前記入射側面は、前記出射面と垂直でない面を少なくとも一部に有していることを特徴としている。
　【００５８】
　導光板の出射面において入射側面側の端に光の出射されない暗部が生じるが、導光板の入射側面に光学パターンを設けたり、出射面と垂直でない面を少なくとも一部に設けたりすることにより、当該暗部の生じる領域を小さくすることができる。
　【００５９】
　請求項１３に記載の実施態様は、請求項２に記載の面光源装置において、前記光源が少なくとも２本以上の線分上に配置されており、各線分上の光源に対して１つの導光板が対応していることを特徴としている。
　【００６０】
　光源が２本以上の線分上に配置されていて直線状でない場合でも、各線分上の光源に対して導光板を１つずつ対応させることにより、請求項２のような構成をとることができ、各導光板毎に光の出射方向を一方向に揃えることができる。
　【００６１】
　請求項１４に記載の実施態様は、請求項１３記載の面光源装置において、前記導光板の出射面にほぼ垂直な側面が、前記入射側面に対してほぼ平行もしくはほぼ垂直であることを特徴としている。
　【００６２】
　光源の形状に対応して複数の導光板を用いるとき、導光板の側面を入射側面に対して斜めにすると、当該斜めの面で光線が反射した際に光線の方向が大きく変わる。従って、この実施態様のように、各導光板の側面はいずれも入射側面に対して平行もしくは垂直にするのが好ましい。
　【００６３】
　請求項１５に記載の実施態様は、請求項２記載の面光源装置において、前記光源が少なくとも２本以上の線分上に配置され、導光板は該各線分上の光源に対して少なくとも一つの入射側面を備えており、導光板の入射直後の光線方向の範囲が、該各入射側面によらずほぼ同一となるよう該入射側面上にパターンを形成したことを特徴としている。
　【００６４】
　この実施態様にあっては、入射側面に設けたパターンによって光線方向がほぼ一定方向に揃えているので、光源が２本以上の線分上に配置されていて直線状でない場合でも、１つの導光板によって光線を一方向に揃えることができる。
　【００６５】
　請求項１６に記載の実施態様は、請求項２記載の面光源装置において、一方向に一様なパターンを有し、前記パターンの底角が６０°以上であるプリズムシートを、導光板の出射面上に配設したことを特徴としている。
　【００６６】
　プリズムシートのパターンは、底角が６０°以上のものを用いれば、出射面からの出射方向が狭い範囲になるように導光板を設計することができ、面光源装置の指向性を高くすることができる。
　【００６７】
　請求項１７に記載の実施態様は、請求項２記載の画像表示装置において、前記面光源装置と、その上方に配設された回折格子と、その上方に配設されたマイクロレンズアレイと、その上方に配設されたカラー液晶表示パネルとからなる画像表示装置であって、前記マイクロレンズアレイを構成する各微小レンズに対し、前記液晶表示パネルを構成する画素が複数ずつ対応し、前記面光源装置からの出射光は前記回折格子により色により異なる方向に回折され、該微小レンズにより当該色により対応する画素に集光させられることを特徴としている。
　【００６８】
　この画像表示装置においては、面光源装置から出射された光を色成分に分解した後、対応した色の画素に集光されているので、カラー画素における光の損失がない。従って、カラー画像表示装置における光量損失を低減して表示面の輝度を向上させることができる。特に、本発明の出射光が一方向に揃った面光源を用いているので、その効果が高く、高輝度画面のカラー画像表示装置を得ることができる。
　【００６９】
　請求項１８に記載の画像表示装置は、請求項２に記載の面光源装置と、その上方に配置された一方向の偏光成分のみを透過し、残りの方向の光を反射させる素子と、その上方に配置された液晶表示パネルとからなることを特徴としている。
　【００７０】
　この実施態様にあっては、一方の偏光成分を透過し、残りの光を反射させる素子を用いているが、当該素子によって反射された光は面光源装置へ戻って非偏光として再び出射される。従って、当該素子と面光源装置との間で反射を繰り返すうちに全ての光が一方向の偏光成分となって当該素子及び偏光板を通過する。
　【００７１】
　従って、偏光板による光のロスなくし、面光源から出射された大部分の光を偏光板に透過させることができ、画像表示装置の画面の輝度を高くすることができる。
　【００７２】
　請求項１９に記載の画像表示装置は、請求項２に記載の面光源装置と、その上方に配置された液晶表示パネルとからなる画像表示装置であって、前記液晶表示パネルの観察側透明基板に直接拡散パターンが形成されていることを特徴としている。
　【００７３】
　この画像表示装置にあっては、透明基板に拡散パターンが形成されているので、画素開口と拡散パターンないし拡散面との距離を一層短くでき、隣接する画素のぼやけをより一層小さくできる。また、拡散シートが不要になって、部材点数を減らすことができる。
　【００７４】
　請求項２０に記載の画像表示装置は、請求項２に記載の面光源装置と、その上方に配置された液晶表示パネルと、前記面光源装置と前記液晶表示パネルとの間に設けたマイクロレンズアレイとからなる画像表示装置であって、液晶表示パネルを構成する２枚の透明基板の間にブラックマトリックスを設けないことを特徴としている。
　【００７５】
　請求項２１に記載の画像表示装置は、請求項２に記載の面光源装置と、その上方に配置された液晶表示パネルと、該液晶表示パネル観察面に近接して配置された液晶表示パネル透過光拡散手段からなる画像表示装置であって、前記液晶表示パネルを構成する２枚の透明基板の間にブラックマトリックスを設けないことを特徴としている。
　【００７６】
　請求項２０又は２１において、２枚の透明基板の間にブラックマトリックスを設けないとは、ブラックマトリックスを設けない場合と、ブラックマトリックスを設けるが、透明基板の間でなく、透明基板の外側に設ける場合とを含む。
　【００７７】
　面光源装置からの光を十分画素開口部分に集光させることができる場合には、ブラックマトリックスはなくしても差し支えない。また、素子開口部外に多少光がはみ出る場合には、透明基板外にブラックマトリックスを設ければよいが、その場合でも透明基板間にカラーフィルタ等と同時にブラックマトリックスをパターニングする必要がなく、液晶表示パネルの生産性が向上する。
　【００７８】
　請求項２２に記載の面光源装置は、請求項２に記載の面光源装置と、その上方に配置された液晶表示パネルと、該液晶表示パネル観察面に近接して配置された液晶表示パネル透過光拡散手段からなる画像表示装置であって、ブラックマトリックスが、前記拡散手段と前記液晶表示パネルの表面のうち少なくとも異なる２平面上に画素開口に対応させて設けられていることを特徴としている。
　【００７９】
　少なくとも２平面に画素開口に対応させてブラックマトリックスを設けているので、液晶表示パネルに対して大きく傾いた方向の光線はブラックマトリックスに当る。従って、ブラックマトリックスによって面光源装置の光指向性を補うことができる。また、画素間のぼやけを小さくすることができる。
　【００８０】
　請求項２３に記載の画像表示装置は、請求項２に記載の面光源装置と、その上方に配置された液晶表示パネルと、該液晶表示パネル観察面上に近接して配置され、方向により拡散度合いが異なる液晶表示パネル透過光拡散手段とからなることを特徴としている。
　【００８１】
　この画像表示装置にあっては、拡散手段の拡散度合いが方向によって異なっているので、方向によって画像の見える範囲を異ならせることができる。
　【００８２】
　請求項２４に記載の画像表示装置は、請求項２に記載の面光源装置と、その上方に配置された液晶表示パネルとからなる画像表示装置であって、輝度ピークの方向から±３０°以上離れた方向の光強度が輝度ピークの方向の光強度の１／５以下であることを特徴としている。
　【００８３】
　このような画像表示装置は、輝度ピークの方向から３０以上離れると、光強度が急激にダウンするので、隣の位置などから画像表示装置の表示等を盗み見される恐れがなくなる。
　【００８４】
　請求項２５に記載の画像表示装置は、請求項２に記載の面光源装置と、その上方に配置された液晶表示パネルとからなる画像表示装置であって、前記画像表示装置の画像表示面上の各場所における出射光の輝度ピークの方向が、前記画像表示面よりある距離離れた一点に向いていることを特徴としている。
　【００８５】
　この画像表示装置も、輝度ピークの方向がある一点に向いているので、輝度ピ一クの集中している位置からは画像を見ることができるが、その位置から外れると画像が見えにくくなる。従って、秘密性の高い内容を表示する用途に好ましい。
　【００８６】
　請求項２６に記載の画像表示装置は、請求項２に記載の面光源装置と、その上方に配置された液晶表示パネルとからなる画像表示装置であって、前記液晶表示パネルの観察側表面上または前記液晶表示パネルに付設したシート上にパターンが形成され、該パターン出射光輝度ピークの方向が、該パターン入射光輝度ピークの方向と異なることを特徴としている。
　【００８７】
　請求項２７に記載の実施形態は、請求項２６に記載の画像表示装置において、前記パターン出射光輝度ピークの方向は、前記液晶表示パネルに垂直な方向とは異なる所定の方向であることを特徴としている。
　【００８８】
　請求項２６及び２７に記載の画像表示装置によれば、面光源装置から出た光を異なる方向（観察面の正面以外の方向）に変換できるので、画像表示装置の用途に応じた方向で画像が見え易くすることができる。
　【００８９】
　請求項２８に記載のプリズムシートは、単位となるパターンの底角が６０°以上であることを特徴としている。
　【００９０】
　このプリズムシートによれば、プリズムシートの裏面とほぼ平行に入射した光をプリズムシートに垂直な方向の出射光に変換することができる。従って、例えば請求項２１の面光源装置に用いることができ、面光源装置から垂直な方向に揃った光を出射させることができる。
　【００９１】
　請求項２９に記載の実施態様は、請求項２８に記載のプリズムシートにおいて、前記パターンの頂点が平らに鈍っていることを特徴としている。
　【００９２】
　このようなプリズムシートによれば、プリズムシートのプリズムパターンの頂点部分がないので破損しにくく、特に底角の大きなプリズムパターンにおいてプリズムシートに傷が付きにくくすることができる。
　【００９３】
　【発明の実施の形態】
　図１３は本発明の第１の実施形態によるエッジライト型の面光源装置５１を示す原理図である。導光板５２は、光学的に透明で屈折率が大きな（屈折率＞１）材質によって四角平板状に形成されている。導光板５２の入射側面５３には冷陰極管のような線状光源５４と線状光源５４を囲むように配置されたリフレクタ５５とが配置されており、導光板５２の上面が光の出射面５６となっている。導光板５２の下面には偏向パターン５７が設けられており、出射面５６（上面）には集光パターン５８が設けられている。ここで、偏向パターン５７とは、導光板５２中の光線を反射させる際に、少なくとも一部の反射光について導光板５２の出射面５６もしくは対向する下面となす角度が反射前よりもすこし大きくなるように、言い換えると、出射面５６もしくは対向する下面に垂直な方向となす角度が少しだけ小さくなるように光線を偏向させる光学的パターンである。特に、導光板５２の入射側面５３及び出射面５６に垂直な平面内への投影で出射面５６と垂直な方向との角度が少しだけ小さくなる方向へ反射させるものが望ましい。また、集光パターン５８とは、導光板５２から出射する光線を入射側面５３及び出射面５６に対して垂直な平面の方向へ集光させる光学的パターンである。なお、以下の説明においては、導光板５２の入射側面５３と垂直な方向をＸ軸方向、導光板５２の出射面５６と垂直な方向をＺ軸方向とし、Ｘ軸方向及びＺ軸方向と垂直な方向をＹ軸方向と呼ぶ。
　【００９４】
　図１４は上記面光源装置５１における偏向パターン５７の作用説明図であって、導光板５２のＺＸ平面と平行な断面における光線の挙動を示している。線状光源５４から出た光線Ｆは、直接に、あるいはリフレクタ５５で反射した後、入射側面５３から導光板５２内に入射する。図１４に示すように、全反射の臨界角φで導光板５２の下面へ入射した光線Ｆは、偏向パターン５７によって臨界角φよりも少しだけ小さな反射角φ一δで反射させられて導光板５２の上面へ入射する。全反射の臨界角φよりも小さな角度φ−δで上面へ入射した光は、導光板５２の上面とほぼ平行に小さな仰角で外部へ出射される。また、導光板５２の下面で臨界角φ以上の反射角で反射された光は導光板５２の上面で全反射され、再び導光板５２の下面へ向かう。そして、下面の偏向パターン５７によって臨界角φよりも小さな角度φ−δで反射された光線は、導光板５２の上面とほぼ平行に小さな仰角で外部へ出射される。このような光学的動作を繰り返すことにより、導光板５２の上面全体からは、出射面５６とほぼ平行な狭い領域（図１４に斜線を施した領域）内に光が出射される。特に、偏向角δを小さくすれば、導光板５２の上面から出射される光は殆ど導光板５２上面の出射面５６と平行になる。
　【００９５】
　図１５（ａ）（ｂ）は偏向パターン５７により偏向された光線の導光板５２上面からの光出射方向をＺＸ平面とＸＹ平面で示し、図１５（ｃ）はさらに集光パターン５８により集光された光線の出射方向をＸＹ平面で示している。上記のように、導光板５２下面の偏向パターン５７で反射された光は、その一部が図１５（ａ）に示すように導光板５２上面とほぼ平行に出射されるが、ＸＹ平面で見ると図１５（ｂ）に示すように１８０。の範囲に拡がっている。しかし、光が導光板５２の上面から出射する際には、集光パターン５８を通過するので、図１５（ｂ）のように１８０°の範囲に拡がっていた光はＺＸ平面（Ｘ軸方向）へ集光され、その結果導光板５２上面からは、出射方向がＸ軸方向に揃った光線だけが出射される。
　【００９６】
　なお、図１３では導光板５２の出射面５６に集光パターン５８を設け、対向する下面に偏向パターン５７を設けているが、具体的な実施形態において後述するように、出射面５６に偏向パターン５７を設け、対向する下面に集光パターン５８を設けてもよい。また、集光パターン５８と偏向パターン５７を一緒に導光板５２の出射面５６又は対向する下面に形成してもよい。
　【００９７】
　図１６は別な構造の線状光源５４を備えた面光源装置５９を示す概略斜視図である。この線状光源５４は、発光ダイオードのような点光源５４ａを線状に配列したものである。また、図１６では一列に配列しているが、点光源５４ａを複数列に配列していても差し支えない。
　【００９８】
　従って、本発明の面光源装置における線状光源５４は、図１３の面光源装置５１のように、冷陰極線管のような一方向に長い光源を用いてもよく、図１６の面光源装置５９のように、点光源を一方向に配列した光源でもよい。
　【００９９】
　図１７は具体的な形状の集光パターン５８と偏向パターン５７を備えた面光源装置６０を示す斜視図である。この実施形態にあっては、集光パターン５８はＸ軸方向に一様な断面三角形の三角プリズム状に形成されており、導光板５２の出射面５６全体に設けられている。偏向パターン５７はＹ軸方向に一様な断面三角形状に形成されており、導光板５２の下面全体に形成されている。この偏向パターン５７は光源側を向いた斜面で光線を反射することにより、図１４で説明したように出射光線を出射面５６とほぼ平行な光線に変換する。図１８は図１７のＣ２−Ｃ２線に沿った断面の一部を示す拡大図であって、光線が偏向パターン５７で反射されて出射面５６から外部へ出射する様子を示している（実際には、図１４に示したようにＸ軸と小さな角度で出射している光線である）。このように導光板５２から出射する光線のうち一部は集光パターン５８を構成するプリズム部５８ａによって屈折されてＺＸ平面と平行な平面へと集光され、一方向（ほぼＸ軸方向）に揃った光が得られる。また、プリズム部５８ａから横方向へ出射された一部の光は隣接するプリズム部５８ａから再び導光板５２内部へ入射し、隣接するプリズム部５８ａの内面で全反射して再び導光板５２の下面へ戻る。こうして導光板５２へ戻った光は導光板５２内部で反射を繰り返しながら再び出射面５６から出て行く。従って、このような三角プリズム状の集光パターン５８によれば、出射面５６からほぼＸＹ平面と平行に出射された光をＺＸ平面へと集光し、その結果ほぼＸ軸方向に揃った光を得ることができる。また、集光されなかった光は再度導光板５２内へ戻って再び出射されるので、光の利用効率も高い構成となっている。
　【０１００】
　なお、ここに示す三角形状の偏向パターン５７からも明らかなように、偏向パターン５７は反射光の全てを出射面５６に垂直な方向へ偏向させるものである必要はなく、少なくとも一部について出射面５６と垂直な方向へ偏向させるものであればよい。
　【０１０１】
　図１９は集光パターン５８の別な具体的形状を示す斜視図、図２０（ａ）（ｂ）は導光板５２の下面の一部破断した拡大図及び一部破断した拡大断面図である。この面光源装置６１にあっては、集光パターン５８は導光板５２の出射面５６でＸ軸方向に一様なシリンドリカルレンズ形状に形成されており、偏向パターン５７は導光板５２の下面でシリンドリカルレンズ形状をした集光パターン５８の焦点位置と一致するようにＸ軸方向に沿って複数列設けられている。
　【０１０２】
　前記のように導光板５２は光の閉じ込め効果が高いので、導光板５２内の光は導光板５２内部で反射を繰り返し、偏向パターン５７で反射されて全反射の臨界角φを越えた時に出射面５６と小さな仰角で外部へ出射される。このとき光線はシリンドリカルレンズ形状をした集光パターン５８の焦点付近から反射されるので、集光パターン５８を通過して外部へ出射される光線は、図２１（図１９のＣ３−Ｃ３線に沿った部分拡大断面図）に示すように、ＺＸ平面へと集光され、結局導光板５２の出射面５６からはほぼＸ軸方向に揃えられた光が出射される。
　【０１０３】
　（平均傾斜角）
　上記集光パターン５８と偏向パターン５７とは、平均傾斜角を定義することによって関係付けることができる。偏向パターン５７の平均傾斜角θｘ＊とは、図２２（ａ）に示すように、Ｘ軸方向を基準とする各部分の傾斜角をθｘｉ（ｉ＝１，２，…）とし、対応する底辺の長さをΔＸｉとするとき、
Σ｜θｘｉ×ΔＸｉ｜／Σ｜ΔＸｉ｜
と定義される。但し、Σはｉに関する総和であって、絶対値について総和を求める。
　【０１０４】
　同様に、集光パターン５８の平均傾斜角θｙ＊は、図２２（ｂ）に示すように、Ｙ軸方向を基準とする各部分の傾斜角をθｙｊ（ｊ＝１，２，…）とし、対応する底辺の長さをΔＹｊとするとき、
Σ｜θｙｊ×ΔＹｊ｜／Σ｜ΔＹｊ｜
と定義される。このΣはｊに関する総和であって、絶対値について総和を求める。
　【０１０５】
　図２３（ａ）（ｂ）（ｃ）（ｄ）は種々のパターンの平均傾斜角θ＊を示している。図２３（ａ）は傾斜角５°の鋸刃状パターン、図２３（ｂ）は傾斜角３°の鋸刃状パターンであって、それぞれ平均傾斜角θ＊＝５°、θ＊＝３°となる。また、図２３（ｃ）は傾斜角５°（底辺の長さ３Λ／８；Λは周期）と傾斜角３°（底辺の長さ５Λ／８）の三角波状パターンであって、平均傾斜角θ＊＝３．７５°となる。さらに、図２３（ｄ）のようなＶ溝ないし台形状のパターンでは、θ＊＝３°となる。なお、平坦面では平均傾斜角θ＊は０°である。
　【０１０６】
　この偏向パターン５７の平均傾斜角θｘ＊と集光パターン５８の平均傾斜角θｙ＊とを用いれば、偏向パターン５７と集光パターン５８との関係は、集光パターン５８の平均傾斜角θｙ＊の方が偏向パターン５７の平均傾斜角θｘ＊よりも大きいこと、すなわち、
集光パターンの平均傾斜角θｙ＊＞偏向パターンの平均傾斜角θｘ＊であるということができる。
　【０１０７】
　なお、この平均傾斜角は、上記のように平面で構成された形状以外のパターンに拡張することができる。例えば、任意の形状のパターンに内接又は外接する折れ線形状について平均傾斜角を求め、各折れ線の長さをゼロに近づけてゆくときの平均傾斜角の極限値をそのパターンの平均傾斜角と定義することができる。あるいは、図１９に示したようなシリンドリカルレンズ形状のパターンのような場合には、その両側に引いた接線によって三角パターンで近似して平均傾斜角を求めてもよい。また、微細でランダムな拡散パターンの場合では、その拡散面の粗さと平均傾斜角とを関係付けることができる。
　【０１０８】
　（偏向パターン及び集光パターンの一般化）
　本発明による面光源装置の導光板に設けられるパターンは上記平均傾斜角の概念を用いて一般化することができる。特に、偏向パターン５７と集光パターン５８とは、外観上似ていたり、導光板５２の同一面に形成されていたりして外観上区別しにくい場合があるので、平均傾斜角により一般化する意味がある。
　【０１０９】
　すなわち、本発明の面光源装置は、入射側面５３と平行な断面（ＹＺ平面と平行な断面）における出射面５６に設けられたパターンの平均傾斜角とその対向面である下面に設けられたパターンの平均傾斜角の和θｙ＊（以下、Ｙ軸方向の平均傾斜角ということがある）が、入射側面５３と出射面５６に対して垂直な断面（ＺＸ平面と平行な断面）における出射面５６に設けられたパターンの平均傾斜角と下面に設けられたパターンの平均傾斜角の和θｘ＊（以下、Ｘ軸方向の平均傾斜角ということがある）よりも大きいことで特徴付けられる。すなわち、Ｙ軸方向の平均傾斜角θｙ＊＞Ｘ軸方向の平均傾斜角θｘ＊である。
　【０１１０】
　（一般化の原理）
　導光板５２のパターンを上記のように一般化できる根拠を説明する。すなわち、導光板５２からの出射光が一方向に揃うためには、線状光源５４から入射した光線が導光板５２内でどのように方向を変えるとよいかを示す。まず、図２４を説明する。図２４においては、導光板５２の左側側面（入射側面５３）に線状光源５４が配置されているとする。線状光源５４の任意の点Ｐ１から出る光線の方向の領域は、右半球全てを含み、図のＲ１の領域となる。この光線が導光板５２の左側側面上の点Ｐ２に入射すると、その光線の方向はスネルの法則によりＲ２の領域に変換される。
　【０１１１】
　一方、導光板５２の下面の点Ｑ１で反射される光線のうち、導光板５２の表面から出射可能な光線の方向の領域はＲ３の領域となる。この光が導光板５２の上面の点Ｑ２から出射されると、光線の取り得る方向の領域はスネルの法則によりＲ４となる。
　【０１１２】
　導光板５２から出射される光の方向が一方向に揃うためには、点Ｑ２から出射される光線の方向は斜線を施した領域ｒ４内でなくてはならない。これに対応する点Ｑ１からの光線の方向は斜線を施したｒ３の領域となる。すなわち、導光板５２中の光線の方向をＲ２からｒ３に変換することにより、出射光は一方向に揃うことになる。ここで、領域Ｒ２とｒ３の関係を考えるため、各点Ｐ１，Ｐ２，Ｑ１を原点Ｏにとり、各領域Ｒ１〜Ｒ３を重ね合わせた図２５を示す。導光板５２中で反射を繰り返すことにより、導光板５２中の光線が図２５の領域Ｒ２から領域ｒ３へ移動すればよい。以下においては、このような図を用いて平均傾斜角と出射光の指向性との関係を検討する。
　【０１１３】
　図２６はＸ軸方向の平均傾斜角θｘ＊が有限値で、Ｙ軸方向の平均傾斜角θｙ＊が０（θｘ＊＞０、θｙ＊＝０）の面光源装置６２を示している。例えば、導光板５２の下面にＹ軸方向に一様なパターン６５ａが形成され、上面が平滑な場合である。このような面光源装置６２においては、図２５に対応する図（以下、このような図を光線方向追跡図という）は図２７のようになる。図２７においては光線の方向の変化する様子を黒丸で表わしている。導光板５２中で初めに領域Ｒ２内にあった光線は、Ｙ軸方向には拡散ないし偏向されないので、導光板５２下面のパターンにより反射される度に図２７内でＸ軸方向左側へ少しずつ移動し、領域Ｒ３内へ侵入した時に導光板５２上面から出射される。従って、導光板５２から出射される光線は領域Ｒ３内の斜線を施した領域の光となり、Ｙ軸方向に集光機能が働かないので、導光板５２から出射される光線は図２６に矢印で示すようにＹ軸方向に広がってしまう。
　【０１１４】
　図２８はＸ軸方向の平均傾斜角θｘ＊とＹ軸方向の平均傾斜角θｙ＊がほぼ等しい（θｘ＊≒θｙ＊＞０）面光源装置６３を示している。例えば、導光板５２の下面にランダムな拡散パターン６５ｂが形成され、上面が平滑な場合である。このような面光源装置６３においては、図２５に対応する光線方向追跡図は図２９で表わされる。導光板５２中で初めに領域Ｒ２内にあった光線は、図２９に示すようにランダムに方向を変え、領域Ｒ３内へ侵入した時点で導光板５２上面から出射される。このため光線はＸ軸方向及びＹ軸方向に広がってしまい、パターンによる拡散の度合いが大きいと従来例の拡散層のように領域Ｒ３の全体に広がってしまう。この結果、導光板５２から出射される光線は図２８に矢印で示すようにランダムに広がる。
　【０１１５】
　図３０はＸ軸方向の平均傾斜角θｘ＊よりもＹ軸方向の平均傾斜角θｙ＊が大きい（０＜θｘ＊＜＜θｙ＊）面光源装置６４を示している。例えば、導光板５２の下面にＸ軸方向よりもＹ軸方向で拡散が強いパターン６５ｃが形成され、上面が平滑な場合である。このような面光源装置６４においては、図２５に対応する光線方向追跡図は図３１で表わされる。導光板５２中で初めに領域Ｒ２内にあった光線は、図３１に示すようにＸ軸方向に少し方向を変える間にＹ軸方向に激しく方向を変化させる。このため光線がＸ軸方向で領域ｒ３を通過する間に光線の方向はＹ軸方向に何度も移動し、その間に領域ｒ３内に落ち込む。従って、導光板５２中の光線は領域ｒ３内に集められた状態で導光板５２上面から領域ｒ４へと出射され、導光板５２から出射される光線は図３０に矢印で示すようにほぼＸ軸方向に揃えられる。
　【０１１６】
　以上説明したように、導光板５２の上面及び下面のうち少なくとも一方にパターンを設け、ＹＺ平面と平行な断面における平均傾斜角θｙ＊がＺＸ平面と平行な断面における平均傾斜角θｘ＊よりも大きくなるようにすれば（特に、平均傾斜角θｘ＊を小さくすることにより）Ｘ軸方向に揃った光線を導光板５２の表面から出射することができることが説明された。
　【０１１７】
　（パターン周期と導光板の厚みとの関係）
　また、導光板５２の入射側面５３と平行な断面における導光板５２のパターン６６の周期Λは、導光板５２の厚みＴ（最も厚い箇所の厚み）の１／１０以下にすることが望ましい。図３２（ａ）はパターン周期Λが大きな導光板５２の入射側面５３と平行な断面（ＹＺ平面と平行な断面）を示している。このように導光板５２の厚みＴに比べてパターン周期Λが大きいと、図３２（ａ）に示すように同じ場所で反射を繰り返す光線Ｆ７が生じ、場所により光のムラを生じさせる。さらには、図３２（ｂ）の光線方向追跡図に示すように、図３１に示したような光線のＹ軸方向における振動が正常に動作しなくなり、光線が揃わなくなる。従って、ＹＺ方向におけるパターン６６の周期Λは十分に小さくする必要がある。この目安としては、導光板５２の厚みＴの１／１０以下にすることが望ましく、その場合には、図３３に示すように光線がＹ方向に散らばって光のムラが発生しなくなる。
　【０１１８】
　（反射板）
　図３４は、偏向及び集光を行なうパターンを形成された導光板５２の下面に大部分の光を正反射させる反射板６８を付設した面光源装置６７を示す。この面光源装置６７のように、導光板５２の下面に反射板６８を付設すると、光の利用効率が高くなる。また、反射板６８として拡散反射板を用いると、光線が出射面５６の垂線となす角度が反射板６８へ入射する前と反射板６８で反射した後とで変化するので、前記領域ｒ３に入らない光が発生する。従って、反射板６８は光を正反射するものを用いるのが良い。
　【０１１９】
　（導光板におけるパターンの配置）
　導光板５２のパターンは、Ｘ軸方向の平均傾斜角θｘ＊よりもＹ軸方向の平均傾斜角θｙ＊が大きくなっていれば、導光板５２の上下両面に設けていても、導光板５２の上面のみ、もしくは下面のみに設けていてもよい。
　【０１２０】
　しかし、Ｘ軸方向に一様なパターン（集光パターン５８）とＹ軸方向に一様なパターン（偏向パターン５７）とを同一面に作製することは、２次元加工が必要なため難しい（図３８参照）。従って、導光板５２の製作を容易にし、加工コストを安価にするためには、図１９や図３４に示したように上面に集光パターン５８を設け、下面に偏向パターン５７を設けてもよく、あるいは図３５に示す面光源装置６９のように上面に偏向パターン５７を設け、下面に集光パターン５８を設けてもよい。
　【０１２１】
　もっとも、導光板５２からＸ軸方向へ出射された光線をＺ軸方向へ向けるため、図３６のように導光板５２の上にプリズムシート７０を置くことが考えられる。このプリズムシート７０は偏向パターン５７と同じくＹ軸方向に一様となっているため、プリズムシート７０と偏向パターンの周期が近いとモアレ縞が発生する恐れがある。この場合、偏向パターン５７とプリズムシート７０の距離を大きくするとモアレ縞がぼやけて小さくなることが知られているので、図３６のように偏向パターン５７を下面に設け、集光パターン５８を上面に設けるのが好ましい。
　【０１２２】
　また、図３７は導光板５２の下面に偏向パターン５７と集光パターン５８を一緒にしたパターン７２を形成した面光源装置７１を具体的に示す斜視図である。このパターン７２は、ＺＸ方向の断面では平均傾斜角θｘ＊が小さな偏向パターン５７となっており、ＹＺ方向の断面では平均傾斜角θｙ＊が比較的大きな集光パターン５８となっている（下面のパターン形状については、図３８参照）。
　【０１２３】
　このようなパターン７２を導光板５２の一面のみに形成する場合には、導光板５２の下面に設けるのが好ましい。つまり、導光板５２の上にプリズムシートやＬＣＤパネル等を置く場合には、当該パターン７２の周期がプリズムシートやＬＣＤパネルの周期に近いとモアレ縞を発生する恐れがある。その場合、パターン７２とプリズムシートやＬＣＤパネル等との距離を遠ざけるとモアレ縞がぼやけて小さくなることが知られているから、当該パターン７２を導光板５２の下面に設けてプリズムシートやＬＣＤパネルとの距離を大きくし、モアレ縞が発生しないようにすれば、画像表示装置等の画質を向上させることができる。
　【０１２４】
　また、図３８に示すように導光板５２の上面に集光パターン５８と偏向パターン５７を一緒にしたパターン７２を形成してもよい。この場合には、導光板５２の下面からの出射を防止するため、導光板５２の下面に正反射する反射板６８を設けるのが望ましい。
　【０１２５】
　また、導光板５２の上面にＸ軸方向のパターン（偏向パターン５７）が設けられていても、Ｘ軸方向の平均傾斜角θｘ＊は比較的小さいため、面光源装置７３の性能をあまり劣化させることはない。また、Ｙ軸方向パターン（集光パターン５８）が上面にあると、当該パターンの傾きのために前記領域ｒ３の光は導光板５２の上面では図３９（ａ）（ｂ）に示すように領域ｒ４と領域ｒ５とに分れる。このうち領域ｒ５の光は導光板５２内に再入射されるので、出射光は領域ｒ４の方向の光のみとなる。
　【０１２６】
　図４０に示すものは本発明のさらに別な実施形態による面光源装置７４を示す斜視図である。この面光源装置７４にあっては、導光板５２の上面にはＸ軸方向に一様な集光パターン５８が形成されており、下面には任意方向の断面における平均傾斜角がほぼ等しく（θｘ＊≒θｙ＊）、かつ小さな拡散パターン７５が設けられている。この拡散パターン７５はランダムなパターンであって、例えば導光板５２の下面に微細な凹凸加工を施したり、光拡散性の塗料を塗布したりして容易に形成することができるが、従来例の拡散層とは異なり、その平均傾斜角は小さなものとなっている。すなわち、導光板５２の下面はランダムではあるが、緩やかに（あるいは、浅く）微細な凹凸加工等が施されている。
　【０１２７】
　しかして、図４１に示すように、全反射の臨界角φで導光板５２の下面へ入射した光線は、導光板５２下面の拡散パターン７５によって臨界角φを中心として小さな散乱角で反射され、臨界角φを越えた光線は出射面５６から導光板５２の上面とほぼ平行な方向へ出射される。これに対し、従来の拡散層では、広い範囲に光線を散乱させるので、導光板５２の上面からは１８０°の広がりであらゆる方位へ出射される。
　【０１２８】
　また、平均傾斜角について言えば、下面のＸ軸方向における平均傾斜角θｘｄ＊とＹ軸方向における平均傾斜角θｙｄ＊は等しく（θｘｄ＊＝θｙｄ＊）、上面のＸ軸方向における平均傾斜角θｘｕ＊＝０あるから、
上面と下面におけるＸ軸方向の平均傾斜角の和θｘ＊＝θｘｄ＊
上面と下面におけるＹ軸方向の平均傾斜角の和θｙ＊＝θｙｕ＊＋θｙｄ＊
は、θｘ＊＜θｙ＊という関係を満足している。
　【０１２９】
　（ＺＸ平面と平行な断面におけるパターン）
　導光板５２のＺＸ平面と平行な断面におけるパターン（Ｘ方向パターンという）７６は図４２に示すような三角波状が好ましい。これは図１９等に示した三角波状の偏向パターン５７と一致する。Ｘ方向パターン７６による拡散度合いは、１回の反射による光線の方向変換の平均値と考えることができる。従って、線状光源５４から導光板５２中に入射した光をなるべく多く導光板５２上面の出射面５６から出射させるためには、ある程度以上の拡散度合いが必要となる。
　【０１３０】
　ここで、同じ平均傾斜角θｘ＊を有する三角波状のＸ方向パターン７６（図４３）とＶ溝状（もしくは台形状）のＸ方向パターン７７（図４５）とを考える。この２つのパターン７６，７７は等しい平均傾斜角θｘ＊＝θｘを有しており、同じ拡散度合いのパターンであるが、三角波状のＸ方向パターン７６では図４３に示すように１／２の光が２θｘだけ方向を変えるのに対し、Ｖ溝状のＸ方向パターン７７では図４５に示すように１／４の光が４θｘだけ方向を変える。従って、いずれのＸ方向パターン７６，７７も同じ拡散度合いであって、同程度の光量が導光板５２の上面から出射される。しかし、三角波状のＸ方向パターン７６では図４４の光線方向追跡図（丸数字は光線の方向の移動する順序を示している）に示すように光線の方向はほぼ一定間隔で移動するので、確実に領域ｒ３に入って、領域ｒ４の狭い領域から出射される。これに対し、Ｖ溝状のパターンでは図４６の光線方向追跡図に示すように、光線は移動しなかったり大きく移動したりするため、領域ｒ３を飛び越える場合がある。従って、三角波状のＸ方向パターン７６の方が導光板５２から出射される光線の方向を揃える効果が高い。
　【０１３１】
　図４７に示すものは本発明のさらに別な実施形態による面光源装置７８を示す斜視図である。この面光源装置７８は導光板５２の下面に反射板６８を備えており、当該反射板６８の上面には入射側面５３と垂直なＸ軸方向に一様な拡散パターン７９が形成されている。なお、拡散パターン７９の形状は任意のものでよい。
　【０１３２】
　しかして、導光板５２の下面から出た光線は反射板６８で反射されて導光板５２内に戻る際、反射板６８の拡散パターン７９によってＹ軸方向に拡散される。よって、導光板５２内の光線のＹ軸方向の拡散をより激しくすることができ、導光板５２中の光を領域ｒ４内に集める効率が向上する（図３１参照）。
　【０１３３】
　図４８に示すものは本発明のさらに別な実施形態による面光源装置８０を示す斜視図である。この面光源装置８０は、線状光源５４の配置されている入射側面５３以外の側面に対向させて光を正反射する側面反射板８１を設けたものである。
　【０１３４】
　側面反射板８１を設ければ、図４９に示すように、導光板５２内を反射しながら側面に達し、導光板５２の側面から外部へ漏れた光Ｆ８を側面反射板８１で反射させることによって導光板５２内へ戻すことができる。従って、出射面５６以外から漏れ出る光を減少させることができ、出射面５６からより多くの光を取り出すことができる。また、この側面反射板８１は光を正反射するから、導光板５２の設計が容易になる。
　【０１３５】
　また、側面反射板８１を設けた場合には、図５０に示すように、Ｘ方向パターン８２（偏向パターン５７）はＸ軸方向において左右対称な形状にしておくのが望ましい。左右対称な形状にしてあれば、線状光源５４から出た光を出射面５６から一方向に揃えて出射させられるだけでなく、側面反射板８１で反射して導光板５２内に戻った光も一方向に揃えて出射面５６から出射させられることができ、側面反射板８１で反射した光も利用可能になって光の出射効率を向上させることができる。
　【０１３６】
　図５１は本発明のさらに別な実施形態による面光源装置８３を示す斜視図である。この面光源装置８３にあっては、くさび形をした導光板５２を用いている。導光板５２の上面にはＸ方向に一様な集光パターン５８が形成されており、傾斜した下面は平滑に形成されている。このようなくさび形をした導光板の場合には、その上面に対する下面のなす角度を平均傾斜角と考えることができる。この面光源装置８３にあっては、下面の傾きによって光が全反射しながらＸ方向へ進行するに従って出射面５６の垂線との角度が次第に小さくなり、全反射の臨界角を越えると出射面５６から小さな仰角で光が出射され、さらに集光パターン５８によりＹ方向に集光される。従って、導光板５２の出射面５６からはＸ軸方向に揃った光線が出射される。また、この導光板５２は入射側面５３と対向する側面を持たないので、導光板５２に入射した光は高い出射効率で出射面５６から出射される。なお、この導光板５２の下面や側面に光を正反射する反射板を設けてもよい。
　【０１３７】
　図５２は本発明のさらに別な実施形態による面光源装置８４を示す側面図である。この面光源装置８４においては、導光板５２の下面に鋸刃状の偏向パターン５７を設け、その斜面５７ａを線状光源５４の方向に向けている。このような形状の偏向パターン５７によれば、光源側からの光を反射させる面積が大きくなるので、より多くの光量を出射面５６から取り出すことができる。特に、側面反射板を用いない場合に有効である。
　【０１３８】
　（端の暗部の解消方法）
　導光板５２の入射側面５３が出射面５６と垂直で平坦になっていると、図５３に示すように、線状光源５４から導光板５２へ最も大きな角度βで入射した光線が導光板５２の出射面５６から出るまでの部分は光の出射されない暗部Ｄとなる。
　【０１３９】
　この暗部Ｄを小さくするためには、図５４に示すように、例えば導光板５２の入射側面５３をＶ溝状カット８５を設けて入射側面５３を出射面５６と垂直な方向から傾斜させるとよい。あるいは、図５５に示すように、入射側面５３に光学的なパターン８６を設けて大きな角度で光線が入射側面５３から入射できるようにすれば、暗部Ｄを小さくできる。
　【０１４０】
　（Ｌ型光源を用いた面光源装置）
　図５６は本発明のさらに別な実施形態による面光源装置８７を示す斜視図、図５７はその平面図である。この線状光源５４は、２辺に沿ったＬ型をしている。従って、１枚の導光板５２に本発明の条件に一致するようなパターンを形成することができない。このため、直角三角形平板状をした２枚の導光板５２ａ，５２ｂを組み合せて四角平板状にしている。各導光板５２ａ，５２ｂの入射側面５３は線状光源５４の対応する辺に対向しており、それぞれ上面の集光パターン５８は各入射側面５３と垂直な方向で一様なパターンとなっており、下面の偏向パターン５７は各入射側面５３と平行な方向で一様なパターンとなっている。
　【０１４１】
　しかして、この面光源装置８７にあっては、各導光板５２ａ，５２ｂ毎に入射側面５３から入射した光線は出射面５６から一方向に揃えて出射されており、図５６に示すように面光源装置８７全体としては、直交する２方向にそれぞれ方向の揃った光線を出射している。
　【０１４２】
　しかし、この面光源装置８７のように各導光板５２ａ，５２ｂを三角形板状にすると、導光板５２ａ，５２ｂ同志を対向させている側面８８（境界面）がいずれも入射側面５３に対して傾斜する。このように側面８８が斜めになっていると、図５７に破線で示すように当該側面８８で反射した時に光線が大きく方向を変えることになる。この結果、この反射光は前記領域ｒ３内に入らなくなり、指向性が低下する。従って、導光板５２ａ，５２ｂの間の境界面に位置する側面８８には光吸収性の塗料などを塗布しておくのが好ましい。
　【０１４３】
　また、図５８に示すものはし型の線状光源５４を用いた別な実施形態の面光源装置８９である。この実施形態では、導光板５２ａ，５２ｂどうしの境界面を構成する側面８８を階段状にすることにより、全ての側面が入射側面５３と平行もしくは垂直になるようにしている。従って、境界面の側面８８で反射して光線が大きく方向を変えるのを防止でき、光の出射効率を高めることができる。なお、この境界面に位置する階段状の側面８８は、鏡面加工して正反射面とするか、光吸収性塗料や遮光性塗料等を塗布して、導光板５２ａ，５２ｂ間で光線が行き来しないようにするとよい。
　【０１４４】
　図５９に示すものはＬ型の線状光源５４を用いた別な実施形態の面光源装置９０である。この実施形態では、四角平板状をした導光板５２の対角線方向に集光パターン５８と偏向パターン５７が設けられている（図５９には偏向パターン５７は示していないが、集光パターン５８と直交する方向に設けられている）。また、導光板５２の線状光源５４と対向する入射側面５３には光学的パターン９１が形成されている。しかして、２つの入射側面５３から導光板５２内に入射する光線は、光学的パターン９１により導光板５２内で重ね合わされて導光板５２内で対角方向の光線となる。従って、Ｌ型の線状光源５４であっても、直線状の線状光源５４と同様に出射光線を一方向に揃えることができる。
　【０１４５】
　図６０に示すものはＬ型の線状光源５４を用いた別な実施形態の面光源装置９２である。この実施形態でも、四角平板状をした導光板５２の対角線方向に集光パターン５８と偏向パターン５７が設けられている。また、導光板５２の線状光源５４と対向する入射側面５３には回折格子９３が貼着されている。しかして、２つの入射側面５３から導光板５２内に入射する光線の、回折格子９３による回折方向が導光板５２の対角方向を向くようにしてある。従って、Ｌ型の線状光源５４であっても、直線状の線状光源５４と同様に出射光線を一方向に揃えることができる。
　【０１４６】
　図６１に示すものはＬ型の線状光源５４を用いた別な実施形態の面光源装置９４である。この実施形態では、四角平板状をした導光板５２の入射側面５３を三角波形状に形成し、入射側面５３の一方の向きの面には反射ミラー９５を設けてあり、反射ミラー９５の設けられていない透明な面９６は互いに平行になっている。しかして、線状光源５４から出た光線は、入射側面５３の反射ミラー９５で反射された後、あるいは直接に、入射側面５３の透明な面９６から導光板５２内へ入射する。これによって、導光板５２内へ入射する光線は導光板５２の対角線方向へ揃えられ、導光板５２の上面からは対角方向に揃った光線が出射される。
　【０１４７】
　（プリズムシートによる出射方向の変換）
　図６２は導光板５２の出射面５６と対向させてプリズムシート７０を配設した面光源装置９７を示す側面図である。導光板５２の出射面５６からは、出射面５６とほぼ平行にＸ軸方向に揃った光線が出射されるが、導光板５２の上にプリズムシート７０を配置することにより、導光板５２からほぼＸ軸方向へ出射された光線を面光源装置９７と垂直なＺ軸方向へ方向変換することができる。このプリズムシート７０は面光源装置９７からの光の出射方向（Ｘ軸方向）に対してほぼ垂直な方向（Ｙ軸方向）に一様なパターンを有している。
　【０１４８】
　通常用いられているプリズムシート７０のプリズムパターン７０ａの底角は４５°から５０°くらいであるが、このプリズムシート７０を用いると、図６３に示すように、プリズムシート７０通過後に光線がプリズムシート７０と垂直になるようにするためには、導光板５２から出射される光線の出射面５６に対する仰角が６０°くらいに大きくなる。そこで、このような光を出射させるように導光板５２を設計すると、前記領域ｒ３及び領域ｒ４が大きくなって指向性が悪くなる。
　【０１４９】
　そこで、図６４に示すように、プリズムシート７０のプリズムパターン７０ａの底角を７０°くらいにすると、導光板５２から出射される光線の出射方向が出射面５６となす仰角は３０°くらいとなる。従って、プリズムパターン７０ａの底角を特に７０°くらいにすることにより領域ｒ３及び領域ｒ４を小さくすることができ、面光源装置９７から出射される光線の方向を揃えることができる。
　【０１５０】
　逆に、プリズムパターン７０ａの底角として必要な値を求めてみると、６０°以上必要なことが分かる。つまり、本発明に用いられる導光板５２のように出射光の方向が、プリズムシート７０の裏面に対して垂直な方向より平行な方向に近い場合（導光板５２の上面に対する出射光の仰角が４５°以下）には、この光線を垂直な方向に偏向させようとすれば、スネルの法則より、プリズムパターン７０ａの底角は６０°以上必要になる。すなわち、プリズムシート７０の屈折率が小さくなると、スネルの法則よりプリズムパターン７０ａの底角を大きくする必要があり、一方、プリズムシート材料である紫外線硬化樹脂等の屈折率は１．５９が限度であるので、プリズムシートの屈折率を１．５９とすると、上記のようにプリズムパターン７０ａの底角としては少なくとも６０°以上必要となる。
　【０１５１】
　図６５は本発明の面光源装置に用いるプリズムシート７０の別な構造を示す。上記のようにプリズムパターン７０ａの底角を７０°くらいにすると、プリズムパターン７０ａの頂角は４０°くらいになり、プリズムシート７０に傷が付き易くなる。そこで、この実施形態では、プリズムパターン７０ａの頂点を平らに鈍らせ、プリズムシート７０に傷が付きにくくしている。このとき、図６５に示すように、プリズムパターン７０ａのうち光の通過しない領域だけを平らにすれば、プリズムシート７０の光学特性を維持しつつプリズムシート７０を丈夫にすることができる。
　【０１５２】
　図６６は本発明のさらに別な実施形態による面光源装置９８を示す概略側面図である。通常は導光板５２からは、線状光源５４から遠ざかる方向に向けて光線が出射されるので、垂直方向への偏向に用いるのはプリズムシート７０の光源から遠い側の斜面である。従って、このプリズムシート７０では、光源から遠い側の斜面の底角γを４５°以上、好ましくは６０°以上の角度とし、光源に近い側の斜面を小さな底角としている。
　【０１５３】
　しかして、光線を曲げるために必要な側の斜面は十分な大きさの底角γを有しているから、出射面５６に対して小さな仰角で出射された光線を上方へほぼ垂直に曲げることができる。それにも拘らず、図６６に想像線で示したように等しい底角を持つ左右対称なプリズムパターンと比較すると頂角が非常に小さくなるので、プリズムシート７０が破損しにくくなる。
　【０１５４】
　また、図６７に示すものはプリズムシート７０と共に側面反射板８１を有する面光源装置９９である。この場合には、光源側から光が出射されるだけでなく、側面反射板８１で反射された光線が光源側へ向けて戻る。したがっ、この場合には、プリズムパターン７０ａが左右対称な形状のプリズムシート７０を用いることにより、側面反射板８１で反射された後に導光板５２の出射面５６から出射された光線も上方へ偏向させることができる。
　【０１５５】
　なお、プリズムシート７０の周期は、導光板５２のＸ方向パターンもしくは偏向パターンの周期の整数倍又は整数分の１にならないようにすることにより、モアレ縞の発生を防止することができる。
　【０１５６】
　（画像表示装置）
　図６８に示すものは本発明の面光源装置を用いた画像表示装置１０１である。これは線状光源５４、リフレクタ５５、導光板５２、反射板６８、プリズムシート７０からなる面光源装置１０２の上に、微小レンズからなるマイクロレンズアレイ１０３を配置し、その上方に図７のＬＣＤパネルと同様な構造のＬＣＤパネル１０４を配置したものである。マイクロレンズアレイ１０３を構成する微小レンズは、それぞれＬＣＤパネル１０４の各画素の開口部分１０５と１対１に対応するように配列されている。
　【０１５７】
　このような画像表示装置では、図６９に示すように、面光源装置１０２から垂直に出射された光をマイクロレンズアレイ１０３によって各画素の開口部分１０５へ集光させることができ、面光源装置１０２の光がＬＣＤパネル１０４のブラックマトリックス１０６によって遮蔽されるのを防止することができる。特に、本発明の面光源装置１０２を用いているので、面光源装置１０２から出射される光線は一方向に揃っており、従ってマイクロレンズアレイ１０３を用いて光を精度よく開口部分１０５に集中させることができる。よって、従来の画像表示装置と比較して、一層面光源装置１０２から出射された光の利用効率が向上し、画像表示装置１０１の正面輝度が向上する。
　【０１５８】
　また、図７０に示すように、プリズムシートを備えていない面光源装置１０２を用い、面光源装置１０２から出射された光を回折格子１０７で垂直な方向へ曲げた後、マイクロレンズアレイ１０３で画素の開口部分１０５へ集光させてもよい。
　【０１５９】
　図７１は本発明による面光源装置を用いたカラー画像表示装置１０８を示す概略正面図である。この画像表示装置１０８にあっては、ＬＣＤパネル１０４はカラーフィルタを有していて赤（Ｒ）、緑（Ｇ）、青（Ｂ）の各画素から構成されており、面光源装置１０２とマイクロレンズアレイ１０３との間には回折格子１０９が配設されている。
　【０１６０】
　しかして、面光源装置１０２から垂直に出射された光は、回折格子１０９により各色毎に異なる方向へ回折させられ、マイクロレンズアレイ１０３により対応する色の画素に集光される。この場合も本発明の面光源装置１０２を用いれば、一方向に揃った光を回折格子１０９へ入射させることができるので、カラーフィルタによる輝度低下の防止を効果的に行える。
　【０１６１】
　また、図７２に示すものは、カラー画像表示装置の別な実施形態である。この画像表示装置１１０では、プリズムシートのない面光源装置１０２を用いている。面光源装置１０２はプリズムシートを備えていないので、面光源装置１０２から出射された光は大きな角度で回折格子１０９に入射する。回折格子１０９の波長による回折角の違いは、回折角が大きいほど大きくなる。従って、この面光源装置１０２のように、面光源装置１０２の光を回折格子１０９へ斜めに入射させることにより光の色分離が容易になる。また、部材点数も削減することができる。
　【０１６２】
　図７３に示すものは本発明のさらに別な画像表示装置１１１を示す概略図である。この画像表示装置１１１にあっては、面光源装置１０２とＬＣＤパネル１０４との間に偏光分離素子１１２を配置している。しかして、面光源装置１０２から偏光分離素子１１２へ垂直に出射された光のうち、偏光分離素子１１２によって一方向に偏光したＰ偏光は透過され、他の偏光方向のＳ偏光は反射される。さらに、偏光分離素子１１２で反射された光は面光源装置１０２の導光板へ戻って再び出射される。よって、偏光板による画像表示装置１１１の輝度低下を防止することができる。特に、本発明による面光源装置１０２を用いているので、偏光分離素子１１２に入射される光は一方向に揃っており、偏光分離素子１１２を用いて偏光板による輝度低下を防止する効果を高めることができる。
　【０１６３】
　以上説明したように、本発明の面光源装置を用いた画像表示装置によれば、ブラックマトリックスやカラーフィルタ、偏光板等による光量低下防止を効果的に行うことができ、画像表示装置の輝度を向上させ、明るい表示面を得ることができる。特に、面光源装置からは一方向に揃った光を出射させることができるので、画像表示装置の正面輝度を向上させ、正面からの視認性を高める。また、正面方向に揃った光（画像）は後述のように用途に応じて容易に光線方向を変換、制御することができる。
　【０１６４】
　（液晶テレビ等）
　図７４は本発明の画像表示装置を用いた液晶テレビ１１３を示す斜視図である。この液晶テレビ１１３内には、図７５に示すような構成の画像表示装置１１４が用いられている。すなわち、プリズムシート７０を備えた面光源装置１０２の上にＬＣＤパネル１０４を配置し、ＬＣＤパネル１０４の上に拡散板１１５を配置している。拡散板１１５は方向によって拡散度合いが異なっている。すなわち、Ｙ軸方向に拡散性が高く、Ｘ軸方向に拡散性が低くなっている。この画像表示装置１１４は、Ｙ軸方向が水平方向となるようにして液晶テレビ１０３内に納められている。なお、拡散板１１５は、図７５に示すような形状のものに限るものではなく、例えばＸ軸方向の断面とＹ軸方向の断面とで平均傾斜角の異なるものであればよい。
　【０１６５】
　しかして、この液晶テレビ１０３は、表面の拡散板１１５によって水平方向には光が拡散され、上下方向にはあまり拡散されないような構成となっている。従って、この液晶テレビ１１３では、従来のように斜め方向から画面を見にくいといった不便が解消される。特に、複数人で液晶テレビ１１３を観賞することができるようになる。
　【０１６６】
　このような構成の画像表示装置１１４は、拡散板１１５によって広い範囲から画面を見ることができるようになるので、図示しないが、液晶テレビ以外にも、ビデオカメラのモニター用画面や、パーソナルコンピュータのディスプレイ等にも用いることができる。また、用途によっては、水平方向及び上下方向に拡散を大きくするような拡散板を用いて上下左右からも画面を見易くすることもできる。
　【０１６７】
　（拡散板の構成）
　図７５では、拡散板１１５の上面を拡散面１１５ａとしているが、図７６に示すように拡散面１１５ａを下にしてＬＣＤパネル１０４の上に配置しても良い。拡散面１１５ａを下にすると、ＬＣＤパネル１０４の画素開口部分１０５と拡散面１１５ａとが近くなるので、図７７（ａ）（ｂ）に示すように、拡散面１１５ａを上にした場合と比較して画素のぼやけを小さくすることができ、解像度が向上する。
　【０１６８】
　さらには、図７８に示すように、拡散板を用いることなく、ＬＣＤパネル１０４のガラス板の上面に拡散面１１５ａを形成してもよい。このような構成によれば、拡散板が不要となって部品点数を削減することができる。さらに、拡散面１１５ａが一層画素開口部分１０５に近くなるので、画素のぼやけを小さくする効果も顕著になる。
　【０１６９】
　（ブラックマトリックスの位置）
　図７９に示すように、従来のＬＣＤパネル１１６では、２枚のガラス板の間にブラックマトリックス１０６を形成し、ブラックマトリックス１０６で光を遮断し、配線付近のオン、オフ特性の悪い液晶層やＴＦＴに光を当てないようにしてＬＣＤパネル１１６の光学特性を維持している。本発明の面光源装置１０２のように、マイクロレンズアレイ１０３を用いて画素開口部分１０５に光を精度良く、確実に集光させることができる場合には、図８０に示すように、ブラックマトリックス１０６は無くしても差し支えない。
　【０１７０】
　内部のガラス基板間にブラックマトリックスを設けないことによって、画素開口部分の外側を通る光線が多少とも発生した場合には、図８１に示すように、ＬＣＤパネル１０４のガラス板上面にブラックマトリックス１１７を設ければ、対処することができる。この場合でも、ブラックマトリックスをＬＣＤパネル１０４の内部に設けるよりも、ＬＣＤパネル１０４の外部に設ける方が、カラーフィルタ等と同時にパターニングする必要がなくなるので、ブラックマトリックスの作製が容易になる。
　【０１７１】
　また、一方向に揃えた光のままでＬＣＤパネル１０４に透過させる構造の場合には、図８２に示すよう、ブラックマトリックス１１７をＬＣＤパネル１０４のガラス板下面に設けてもよい。
　【０１７２】
　また、図８３に示すものは、ＬＣＤパネル１０４のブラックマトリックスと対向させて拡散板１１５にもブラックマトリックス１１８を設けた実施形態である。このような構成によれば、隣接する画素からの光を発生する部分をブラックマトリックス１１８で覆うことになり、画素どうしのぼやけを小さくすることができる。このようなブラックマトリックス１１８は、図８４に示すように拡散板１１５の上下両面に設けてもよい。
　【０１７３】
　さらに、図８５に示すものは、ＬＣＤパネル１０４のガラス板間に設けられているブラックマトリックス１０６と対向させて当該ガラス板の上面にもブラックマトリックス１１７を設けた画像表示装置である。このような構成によれば、角度の大きな出射方向の光をブラックマトリックス１１７でカットすることができるので、ＬＣＤパネル１０４により面光源装置１０２の一方向指向性をより高めることができる。また、拡散板１１５を用いる場合には、図８３の場合と同様の理由により、画素どうしのぼやけを小さくすることができる。このようなブラックマトリックス１１７は、図８６に示すようにＬＣＤパネルの上下両面に設けてもよい。ブラックマトリックスを２面以上に設けると、１面に設けたのと比較して、指向性が高くなり、画素の重なりが減少する。
　【０１７４】
　（現金自動入出装置）
　図８７は本発明の画像表示装置を用いた現金自動入出装置（ＡＴＭ装置）１１９を示す斜視図である。このような現金自動入出装置１１９の操作画面１２０は、隣の人からは見えないようにすることが望ましい。このため、この現金自動入出装置１１９に用いる画像表示装置１２１では、出射する光を使用者にだけ見えるようにするため、図８８に示すように使用者に向けて出射光を絞っている。
　【０１７５】
　通常の人のサイズで考えると、図８９に示すように、どれほど隣の人が近づいても、正面から見ている人（使用者）がいる限り、３０°以上傾いた方向から見ることになる。すなわち、操作画面１２０と使用者との距離をＨ＝５５ｃｍとし、隣の人との間隔をＥ＝３０〜３５ｃｍとすると、隣の人は操作画面１２０の正面から３０°以上傾いた方向から見ることになる。よって、この範囲（−３０°〜３０°）外での光強度を正面の１／５以下に落とすようにすれば、隣の人からはほとんど見えなくなる。
　【０１７６】
　図９０は、図８８に示したように画面からの光を絞るための構成を示す図であって、ＬＣＤパネル１０４の上にレンズ１２２を配置したものである。また、レンズ１２２は図９１に示すようにＬＣＤパネルの下側に配置してもよい。さらには、図９２に示すように、レンズとして、フレネルレンズ１２３を用いれば、レンズ部分を薄くすることができる。
　【０１７７】
　しかして、図９０〜図９２のような構成によれば、画像表示面上における輝度ピークの方向が画像表示面上の場所によって異なり、画像表示面よりある距離離れた一点（例えば、使用者の頭部位置）に向くことになる。
　【０１７８】
　本発明の画像表示装置１２１によれば、一方向に光が出射されているので、レンズを用いることにより、上記のように容易に光の出射方向を絞ることができる。また、このような構成の画像表示装置は、現金自動入出装置以外にも、他人から見られたくない用途、例えば遊戯台やゲーム機などにも用いることができる。
　【０１７９】
　（カーナビゲーションシステム）
　図９３はカーナビゲーションシステムを搭載した車両１２４を示している。通常、カーナビゲーションシステムのディスプレイ１２５は運転席と助手席との間に設置されているから、運転者は斜め方向から見ることになる。しかし、従来の液晶ディスプレイは斜め方向からは見にくかった。このため本発明のカーナビゲーションシステムにおいては、ディスプレイ１２５が斜め方向から見え易いようにしている。
　【０１８０】
　すなわち、このカーナビゲーションシステムに用いるディスプレイ１２５では、斜め方向へ向けて光を出射している。図９４（ａ）はそのための画像表示装置１２６の構成を示す図であって、ＬＣＤパネル１０４の前面に回折格子１２７を設けることにより斜め方向（運転席側）へ画面から光を出射するようにしている。また、図９４（ｂ）に示す画像表示装置１２６では、ＬＣＤパネル１０４の前面にプリズム板１２８を配置し、左右両側へ画面から光を分岐させて出射し（すなわち、輝度ピーク方向が分岐して２方向になる）、運転席と助手席と両側から見え易いようにしている。あるいは、図９４（ｃ）はプリズムシートを用いない面光源装置からの光をＬＣＤパネル１０４に斜めに透過させ、そのまま画像として斜め方向へ出射させるようにした画像表示装置１２６である。
　【０１８１】
　しかして、図９４（ａ）や図９４（ｂ）の方法では、回折格子１２７やプリズム板１２８からの出射光輝度ピークの方向が、入射光輝度ピークの方向及びパターン面垂直方向と異なる方向を向くことになる。これに対し、図９４（ｃ）の方法では、ＬＣＤパネル１０４からの出射光輝度ピークの方向は、パネル面垂直方向とは異なるが、入射光輝度ピークの方向とはほぼ同じになっている。
　【０１８２】
　（車両等の液晶表示器）
　最近では、電車等の車両１２９の扉１３０の上の空間を利用して各種液晶表示器１３１を設置している例がある。このような場合、乗客は下方から斜めに見上げるようになり、しかも液晶表示器１３１は設置の都合上から下向きになっていないことが多いため、非常に見づらい。従って、このような場合には、図９５のような構成によって上方へは余り光を出射させず、主として斜め下方へ出射させることにより、車内からの視認性を高めることができる。そのためには、ＬＣＤパネル１０４の前面に配置する光学的シート（図示せず）、例えば回折格子やプリズムシート等のパターンを上下方向で非対称にしておけばよい（図９４（ａ）参照）。
　【０１８３】
　この結果、ＬＣＤパネル１０４及び光学的シートを通過した出射光は、光学的シートヘの入射光に比べ、画像表示面に垂直な方向より下方向の光量が大きくなる。特に、水平線より下方へ出射される光量が、水平線より上方へ出射される光量の３倍以上にすることにより下方から見やすくなる。このとき下方向への光強度は上方向の１．５倍となる。
　【０１８４】
　また、このような下方へ強く光を出射する画像表示装置を用いた液晶表示器は、図示しないが、飛行機用、船舶用、室内用の液晶表示装置にも有用であることはいうまでもない。
【図面の簡単な説明】
　【図１】
　（ａ）（ｂ）は直下型面光源装置の正面図及び断面図である。
　【図２】
　エッジライト型面光源装置の一部破断した分解斜視図である。
　【図３】
　（ａ）（ｂ）はいずれも導光板に設けられた拡散層のパターンを示す図である。
　【図４】
　（ａ）は導光板に設けられた別な拡散層を示す導光板の下面図、（ｂ）は（ａ）のＣ１−Ｃ１線断面図である。
　【図５】
　同上の導光板の作用説明図である。
　【図６】
　同上の面光源装置から出射される光の指向特性を示す図である。
　【図７】
　液晶表示パネルの構造を示す分解斜視図である。
　【図８】
　画像表示装置においてブラックマトリックスによる輝度低下を防止する構造と、拡散板により斜め方向での輝度を高くした構造を示す概略断面図である。
　【図９】
　画像表示装置の表示面からの光の出射角と輝度との関係を示す図である。
　【図１０】
　拡散板を用いて画像表示装置の斜め方向への輝度を高くした場合の問題点を説明する図である。
　【図１１】
　カラーフィルタによる輝度低下を防止する方法を示す概略図である。
　【図１２】
　偏光板による輝度低下を防止する方法を示す概略図である。
　【図１３】
　本発明の一実施形態によるエッジライト型の面光源装置の構成を示す概略斜視図である。
　【図１４】
　同上の面光源装置における偏向パターンの作用説明図である。
　【図１５】
　（ａ）（ｂ）（ｃ）は同上の面光源装置における偏向パターン及び集光パターンの作用説明図である。
　【図１６】
　別な形態の線状光源を備えた面光源装置を示す斜視図である。
　【図１７】
　具体的形状の集光パターン及び偏向パターンを備えた面光源装置を示す斜視図である。
　【図１８】
　図１７のＣ２−Ｃ２線に沿った断面の一部を拡大した図であって、同上の集光パターンの作用説明図である。
　【図１９】
　別な具体的形状の集光パターンを備えた面光源装置を示す斜視図である。
　【図２０】
　（ａ）（ｂ）は同上の導光板の一部を拡大して示す下面図及び断面図である。
　【図２１】
　図１９のＣ３−Ｃ３線に沿った断面の一部を拡大した図であって、同上の集光パターンの作用説明図である。
　【図２２】
　（ａ）（ｂ）は偏向パターンの平均傾斜角と集光パターンの平均傾斜角を説明するための図である。
　【図２３】
　（ａ）〜（ｄ）は種々の形状をしたパターンの平均傾斜角を示す図である。
　【図２４】
　線状光源から出射された光線、導光板中に入射した光線、導光板の下面で反射した出射可能な光線、及び導光板の出射面から出射する光線の方向を示す図である。
　【図２５】
　線状光源から出射された光線の方向、導光板中に入射した光線の方向、及び導光板の下面で反射した出射可能な光線の方向を重ね合わせて示す図である。
　【図２６】
　Ｙ軸方向の平均傾斜角が０のパターンを有する面光源装置を示す斜視図である。
　【図２７】
　同上の面光源装置における光線方向追跡図である。
　【図２８】
　Ｘ軸方向の平均傾斜角とＹ軸方向の平均傾斜角がほぼ等しいランダムなパターンを有する面光源装置を示す斜視図である。
　【図２９】
　同上の面光源装置における光線方向追跡図である。
　【図３０】
　Ｘ軸方向の平均傾斜角よりもＹ軸方向の平均傾斜角が大きいパターンを有する面光源装置を示す斜視図である。
　【図３１】
　同上の面光源装置における光線方向追跡図である。
　【図３２】
　（ａ）は望ましくないパターン周期の導光板における光線の挙動を示す図、（ｂ）はその光線方向追跡図である。
　【図３３】
　望ましいパターン周期の条件を備えた導光板における光線の挙動を示す図である。
　【図３４】
　下面に反射板を備えた面光源装置を示す斜視図である。
　【図３５】
　本発明のさらに別な実施形態による面光源装置を示す斜視図である。
　【図３６】
　上方にプリズムシートを重ねた面光源装置を示す斜視図である。
　【図３７】
　本発明のさらに別な実施形態による面光源装置を示す斜視図である。
　【図３８】
　本発明のさらに別な実施形態による面光源装置を示す斜視図である。
　【図３９】
　（ａ）（ｂ）は導光板の上面に集光パターンが存在する場合における、上面から出射される光線の領域を示す斜視図及び正面図である。
　【図４０】
　本発明のさらに別な実施形態による面光源装置を示す斜視図である。
　【図４１】
　同上の面光源装置における拡散パターンの作用説明図である。
　【図４２】
　導光板の下面に設けられた三角波状の偏向パターンを示す一部破断した拡大側面図である。
　【図４３】
　同上の偏向パターンの作用説明図である。
　【図４４】
　同上の偏向パターンを有する導光板の光線方向追跡図である。
　【図４５】
　導光板の下面に設けられたＶ溝状（もしくは台形状）の偏向パターンの作用説明図である。
　【図４６】
　同上の偏向パターンを有する導光板の光線方向追跡図である。
　【図４７】
　パターンを設けられた反射板を備えた面光源装置の斜視図である。
　【図４８】
　側面反射板を備えた面光源装置を示す斜視図である。
　【図４９】
　側面反射板の作用説明図である。
　【図５０】
　側面反射板と偏向パターンとの関係を説明する図である。
　【図５１】
　本発明のさらに別な実施形態による、くさび形の導光板を備えた面光源装置を示す斜視図である。
　【図５２】
　偏向パターンの別な形状を示す側面図である。
　【図５３】
　面光源装置の端に発生する暗部を説明する概略図である。
　【図５４】
　導光板の端に発生する暗部を小さくするための入射側面の構造を示す側面図である。
　【図５５】
　導光板の端に発生する暗部を小さくするための入射側面の別な構造を示す側面図である。
　【図５６】
　Ｌ型の線状光源を備えた面光源装置を示す斜視図である。
　【図５７】
　同上の平面図である。
　【図５８】
　Ｌ型の線状光源を備えた別な面光源装置を示す平面図である。
　【図５９】
　Ｌ型の線状光源を備えたさらに別な面光源装置を示す説明図である。
　【図６０】
　Ｌ型の線状光源を備えたさらに別な面光源装置を示す説明図である。
　【図６１】
　Ｌ型の線状光源を備えたさらに別な面光源装置を示す説明図である。
　【図６２】
　プリズムシートを備えた面光源装置とその作用を示す側面図である。
　【図６３】
　プリズムシートのプリズムパターンの底角と導光板からの出射光の仰角との関係を示す図である。
　【図６４】
　プリズムパターンの底角と導光板からの出射光の仰角との関係を示す別な図である。
　【図６５】
　プリズムシートの別なプリズムパターンを示す図である。
　【図６６】
　別なプリズムパターンのプリズムシートを備えた面光源装置を示す側面図である。
　【図６７】
　プリズムシートと側面反射板を備えた面光源装置を示す側面図である。
　【図６８】
　本発明の一実施形態による画像表示装置を示す分解斜視図である。
　【図６９】
　同上の画像表示装置の作用説明図である。
　【図７０】
　本発明の別な実施形態による画像表示装置を示す概略図である。
　【図７１】
　本発明のさらに別な実施形態によるカラー画像表示装置を示す概略図である。
　【図７２】
　本発明のさらに別な実施形態によるカラー画像表示装置を示す概略図である。
　【図７３】
　偏光分離素子を用いた、本発明のさらに別な実施形態による画像表示装置を示す概略図である。
　【図７４】
　本発明による液晶テレビを示す斜視図である。
　【図７５】
　同上の液晶テレビ内に納められている画像表示装置を示す斜視図である。
　【図７６】
　拡散板を備えた別な構造の画像表示装置を示す概略図である。
　【図７７】
　（ａ）（ｂ）は拡散面が下面にある拡散板と上面にある拡散板の違いを説明する図である。
　【図７８】
　ＬＣＤパネルに拡散面を形成された画像表示装置を示す概略図である。
　【図７９】
　従来のＬＣＤパネルを用いた画像表示装置を説明する概略図である。
　【図８０】
　本発明のさらに別な実施形態による画像表示装置を示す概略図である。
　【図８１】
　本発明のさらに別な実施形態による画像表示装置を示す概略図である。
　【図８２】
　本発明のさらに別な実施形態による画像表示装置を示す概略図である。
　【図８３】
　本発明のさらに別な実施形態による画像表示装置を示す概略図である。
　【図８４】
　本発明のさらに別な実施形態による画像表示装置のＬＣＤパネル及び拡散板を示す概略図である。
　【図８５】
　本発明のさらに別な実施形態による画像表示装置のＬＣＤパネルを示す概略図である。
　【図８６】
　本発明のさらに別な実施形態による画像表示装置のＬＣＤパネルを示す概略図である。
　【図８７】
　現金自動入出装置を示す概略斜視図である。
　【図８８】
　同上の現金自動入出装置に用いられている画像表示装置の光出射方向を示す図である。
　【図８９】
　同上の操作画面（画像表示装置）の光出射方向の算出基礎を説明する図である。
　【図９０】
　同上の現金自動入出装置に用いられる画像表示装置の一例を示す図である。
　【図９１】
　同上の現金自動入出装置に用いられる画像表示装置の他例を示す図である。
　【図９２】
　同上の現金自動入出装置に用いられる画像表示装置のさらに他例を示す図である。
　【図９３】
　カーナビゲーションシステムを搭載した車両を示す概略平面図である。
　【図９４】
　（ａ）（ｂ）（ｃ）は同上のカーナビゲーションシステムのディスプレイに用いられる画像表示装置の構成を示す概略図である。
　【図９５】
　液晶表示器を備えた車両の内部の様子を示す概略図である。
　【符号の説明】
　５２　導光板
　５３　導光板の入射側面
　５４　線状光源
　５５　リフレクタ
　５６　導光板の出射面
　５７　偏向パターン
　５８　集光パターン
　６８　反射板
　７０　プリズムシート
　７５，７９　拡散パターン
　８１　側面反射板
　１０２　面光源装置
　１０３　マイクロレンズアレイ
　１０４　液晶表示（ＬＣＤ）パネル
　１０６　ブラックマトリックス
　１０７，１０９　回折格子